【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
針受器であって、
下構造（３４１）および上構造（３３９）を備える、筐体（３４０）を備え、背面照明で前記受器の収納ゾーン（３３７）内の針を視認するために、前記上構造が光学的に透過性の材料を含み、前記下構造が光学的に透過性の材料を含み、前記上部分は、前記針を視認するための透明材料を含み、前記下部分は、背面照明光を前記針まで通過させるための半透明材料を含む、針受器。
【請求項２】
前記受器の収納ゾーン内の針を視認するために、前記上構造を通したスロット（３４３）をさらに備える、請求項１に記載の針受器。
【請求項３】
前記上構造は、持針器を受容するための縦方向スロット（３４３）を有し、前記収納ゾーン（３３７）は、複数の針を受容するための伸長針スロット（３４９）を備え、前記伸長針スロットは、前記上構造（３３９）と前記下構造（３４１）との間に延在し、前記伸長針スロット内の針は、前記下構造を通した背面照明で前記上構造を通して視認されることができる、請求項１に記載の針受器。
【請求項４】
前記上構造と前記下構造との間の少なくとも１つの開口部をさらに備え、前記少なくとも１つの開口部は、挿入された汚染された手術用針を受容するように構成および定寸される、請求項１に記載の針受器。
【請求項５】
前記上構造および下構造の一方または両方は、進入ゾーン（３３３）、遷移ゾーン（３３５）、および収納ゾーン（３３７）を画定し、前記進入ゾーン（３３３）は、前記上構造内の縦方向スロット（３４３）に向かって汚染された針（１０４）を保持する持針器を押勢する少なくとも１つの構造を含む、請求項１に記載の針受器。
【請求項６】
前記少なくとも１つの開口部は、前記汚染された手術用針を側方配向で受容するように構成および定寸される、請求項４に記載の針受器。
【請求項７】
前記収納ゾーン（３３７）は、複数の汚染された手術用針を受容するように構成および定寸される、請求項１に記載の針受器。
【請求項８】
前記スロット（３４３）は、前記持針器の先端を受容するように構成および定寸され、前記持針器の制御下で前記筐体の中への前記汚染された手術用針の挿入を促進する、請求項２に記載の針受器。
【請求項９】
前記縦方向スロット（３４３）は、前記スロットに対する特定の配向に前記持針器を配向するように構成および定寸される、請求項８に記載の針受器。
【請求項１０】
前記収納ゾーン（３３７）は、所定の配向で複数の汚染された手術用針を保持する針保定特徴を含む、請求項１に記載の針受器。
【請求項１１】
前記上構造（３３９）と下構造（３４１）との間に前記汚染された手術用針を保持する針保定特徴をさらに備える、請求項１に記載の針受器。
【請求項１２】
前記針保定特徴は、前記上構造（３３９）と下構造（３４１）との間に配置された発泡体を備える、請求項１１に記載の針受器。
【請求項１３】
前記針保定特徴は、前記上構造（３３９）および下構造（３４１）の一方または両方から延在する複数の突出部（３６１）を備える、請求項１１に記載の針受器。
【請求項１４】
前記進入ゾーン（３３）は、進入ゾーンに向かった針の移動を促進するように進入ゾーン（３３３）より幅が広い降着ゾーンを画定する、請求項５に記載の針受器。
【手続補正２】
【補正対象書類名】明細書
【補正対象項目名】０７１３
【補正方法】変更
【補正の内容】
【０７１３】
多くの実施形態では、針受器を受容するステップは、５本またはそれを上回る、照合され、分配された手術用針を、針が近傍手術野内にあるとき、手術用針を照合した人物から受容するステップを含み、受容されると、分配された手術用針は、針受器内で安定させられて非侵害性である。多くの事例では、針は、照合されると、針受器内にあって、近傍手術野内の針パックの手術用針と照合される。
本発明は、例えば、以下を提供する。
（項目１）
ユーザの前腕上に留置するための障壁であって、前記障壁は、
近位端と遠位端との間に延在する縦軸を画定する湾曲シェルであって、前記縦軸を中心として湾曲を伴って延在する湾曲シェル
を備える、障壁。
（項目２）
前記シェルの近位端は、長軸および短軸を伴う断面を画定し、前記シェルの遠位端は、長軸および短軸を伴う断面を画定し、前記近位端の長軸は、前記遠位端の長軸に対して前記縦軸を中心として回転される、項目１に記載の障壁。
（項目３）
前記遠位端の障壁長軸は、ユーザの前腕上に留置されると、前記近位端の長軸に対して回転され、前記近位端は、留置されると、前記ユーザの肘に向かって位置し、前記遠位端は、前記ユーザの手首に向かって位置する、項目１に記載の障壁。
（項目４）
前記障壁は、前記障壁の対向縁が相互に向かって押勢されるにつれて前記近位端上の長軸および前記遠位端上の短軸を画定するように成形される、予形成された自己支持障壁を備える、項目１に記載の障壁。
（項目５）
前記近位端の長軸は、前記遠位端の長軸より長い、項目１に記載の障壁。
（項目６）
前記近位端は、短軸を備え、前記遠位端は、短軸を備え、前記近位端の短軸は、前記遠位端の短軸より長い、項目１に記載の障壁。
（項目７）
前記遠位端の長軸は、前記近位端の短軸より短い、項目６に記載の障壁。
（項目８）
前記障壁は、実質的に均一厚さを有する材料の熱成形シートを含む、項目１に記載の障壁。
（項目９）
前記障壁は、予形成された自己支持構造を備える、項目１に記載の障壁。
（項目１０）
前記障壁は、前記近位端と前記遠位端との間に延在する背側長さを有する背側面と、前記近位端と前記遠位端との間に延在する橈側長さを有する橈側面と、前記近位端と前記遠位端との間に延在する掌側長さを有する掌側面とを備え、前記橈側面は、前記背側面と前記掌側面との間に配置され、前記橈側長さは、前記背側長さおよび前記掌側長さより短い、項目１に記載の障壁。
（項目１１）
前記障壁は、ユーザが前記障壁と前記ユーザの前腕の橈側隆起とを整合させるための橈側面上の印を備える、項目１０に記載の障壁。
（項目１２）
近位タブ長を有する近位タブと、遠位タブ長を有する遠位タブとをさらに備え、前記近位タブは、前記遠位タブより長い、項目１に記載の障壁。
（項目１３）
前記遠位タブ長は、前記近位タブ長の約２５％〜約７５％の範囲内である、項目１２に記載の障壁。
（項目１４）
前記近位タブおよび前記遠位タブは、独立構成において前記縦軸の周囲に延在する湾曲形状を有するように予形成される、項目１２に記載の障壁。
（項目１５）
前記障壁は、ユーザの左前腕に嵌合するように成形される、項目１に記載の障壁。
（項目１６）
前記障壁は、ユーザの右前腕に嵌合するように成形される、項目１に記載の障壁。
（項目１７）
前記障壁は、前記近位端と前記遠位端との間の背側の背側テーパと、前記近位端と前記遠位端との間の掌側の掌側テーパとを備え、前記掌側テーパは、前記背側テーパを上回る、項目１に記載の障壁。
（項目１８）
前記障壁は、対向側の対向縁が相互に向かって引っ張られると、留置構成を備える、項目１に記載の障壁。
（項目１９）
前記障壁は、対向側の対向縁が相互に向かって引っ張られると、留置構成を備え、前記障壁の背側、掌側、および橈側面は、前記近位端における近位中心と、遠位端における遠位中心とを画定し、前記障壁の中間部分は、中間背側、掌側、および橈側面とともに中間中心を画定し、前記中間部分の中心は、前記近位中心と前記遠位中心との間に延在する直線から離れて位置する、項目１に記載の障壁。
（項目２０）
前記複数の中間背側、橈側、および掌側部分は、複数の中間中心を画定し、前記近位中心、前記中間中心、および前記複数の中間中心は、前記近位中心と前記遠位中心との間に延在する湾曲経路を画定する、項目１９に記載の障壁。
（項目２１）
前記近位点を通した前記近位部分の垂直断面は、平面と、前記平面と垂直に前記近位中心から延在する直交軸とを画定し、前記遠位中心は、約１ｃｍ〜約４ｃｍの範囲内である量だけ前記直交軸からオフセットされる、項目１９に記載の障壁。
（項目２２）
前記障壁は、約０．４ｍｍ〜約５ｍｍの範囲内の厚さを備える、項目１に記載の障壁。
（項目２３）
前記障壁は、約６インチ〜約１１インチの範囲内の縦方向長さを備える、項目１に記載の障壁。
（項目２４）
前記障壁は、約１．１〜約１．５の範囲内の前記遠位端を横断した距離に対する前記近位端を横断した距離の比を備える、項目１に記載の障壁。
（項目２５）
前記障壁は、予形成された成形障壁を備え、前記障壁は、掌側の掌側縁と、背側の背側縁とを備え、前記掌側縁は、留置のために前記前腕にわたって前進されると、前記背側縁から分離し、前記掌側縁を独立構成から約１インチ前記背側から分離するための力の量は、約２５グラム〜約４００グラムの範囲内である、項目１に記載の障壁。
（項目２６）
前記範囲は、約５０グラム〜約１５０グラムである、項目２５に記載の障壁。
（項目２７）
前記障壁は、シェルを備え、下層発泡体が、前記障壁のシェルの遠位境界を越えて遠位に延在し、前記発泡体は、前記障壁が前記手首に衝突すると、前記シェルの前端遠位縁にわたって湾曲し、前記シェルの界面に当たり、快適性を提供する、項目１に記載の障壁。
（項目２８）
前記障壁は、シェルを備え、下層発泡体が、前記障壁のシェルの遠位境界を越えて遠位に延在し、前記障壁が前記手首に衝突すると、前記シェルの界面に当たり、快適性を提供する、項目１に記載の障壁。
（項目２９）
前記障壁は、シェルを備え、前記発泡体は、前記障壁が前記手首に衝突すると、前記シェルの前端遠位縁にわたって湾曲し、前記シェルの界面に当たり、快適性を提供する、項目１に記載の障壁。
（項目３０）
前記障壁は、シェルを備え、前記シェルの遠位縁は、前記シェルの厚さと等しい直径を伴う湾曲を有する、項目１に記載の障壁。
（項目３１）
前記障壁は、シェルを備え、前記シェルの遠位端は、前記ユーザの前腕から離れて湾曲する、項目１に記載の障壁。
（項目３２）
前記シェルは、２ｍｍ〜５ｍｍの湾曲半径を伴って前記ユーザの前腕から離れて湾曲する、項目３１に記載の障壁。
（項目３３）
前記障壁は、前記障壁の荷重をユーザの手首上に分散させるために約３ｍｍ〜１．５ｃｍの範囲内の変位を伴うシェルの遠位縁における橈側湾曲を有する、シェルを備える、項目１に記載の障壁。
（項目３４）
前記障壁は、シェルと、前記シェルの遠位縁の発泡体詰め物とを備える、項目１に記載の障壁。
（項目３５）
前記障壁は、厚くされた遠位縁を備える、項目１に記載の障壁。
（項目３６）
前記障壁は、デバイスが前記手首の運動に伴って前記手首の背側または橈側または掌側面に当接すると、荷重を分散させるように構成される、項目１に記載の障壁。
（項目３７）
ユーザの前腕上に留置するための障壁であって、前記障壁は、
近位端と遠位端との間に延在する縦軸を画定する、湾曲シェルを備え、前記湾曲シェルは、前記縦軸を中心として湾曲を伴って延在し、前記シェルの近位端は、断面を画定し、前記シェルの遠位端は、断面を画定し、前記障壁は、予形成された成形障壁を備え、前記障壁は、掌側の掌側縁と、背側の背側縁とを備え、前記掌側縁は、留置のために前記前腕にわたって前進されると、前記背側縁から分離し、前記掌側縁を独立構成から約１インチ前記背側から分離するための力の量は、約２５グラム〜約４００グラムの範囲内である、障壁。
（項目３８）
前記範囲は、約５０グラム〜約１５０グラムである、項目３７に記載の障壁。
（項目３９）
方法であって、前記項目のいずれか１項に記載の障壁を提供するステップを含む、方法。
（項目４０）
針受器であって、
進入ゾーンおよび収納ゾーンを有する、下構造と、
収納ゾーンを有する、上構造と、
前記下構造と前記上構造との間に１本またはそれを上回る縫合針を受容するための針スロットと、
前記上構造の一部を通して延在する上持針器スロットおよび前記下構造の一部を通して延在する下持針器スロットであって、前記下構造の底側の下突出部は、前記持針器の先端から離れて把持された針が前記針スロットに沿って前進すると、前記持針器のための隙間を提供するために十分な高さを備える、持針器スロットと、を備える、針受器。
（項目４１）
前記下突出部は、前記下持針器スロットに沿って延在する差幅を備える、項目４０に記載の針受器。
（項目４２）
針受器であって、
下構造および上構造を備える、筐体を備え、前記上構造は、背面照明で前記針受器の収納ゾーン内の針を視認するために、光学的に透過性の材料を含み、前記下構造は、光学的に透過性の材料を含む、針受器。
（項目４３）
前記上部分は、前記針を視認するための透明材料を含み、前記下部分は、背面照明光を前記針に通過させるための半透明材料を含む、項目４２に記載の針受器。
（項目４４）
前記針受器の収納ゾーン内の針を視認するために、前記上構造を通したスロットをさらに備える、項目４２に記載の針受器。
（項目４５）
前記上構造は、持針器を受容するための縦方向スロットを有し、前記収納ゾーンは、複数の針を受容するための伸長針スロットを備え、前記伸長針スロットは、前記上構造と前記下構造との間に延在し、前記針スロット内の針は、前記下構造を通した背面照明で前記上構造を通して視認されることができる、項目４２に記載の針受器。
（項目４６）
針受器であって、
進入ゾーンおよび収納ゾーンを有する、下構造と、
収納ゾーンを有する、上構造と、
前記下構造と前記上構造との間に１本またはそれを上回る縫合針を受容するための針スロットと、
を備え、複数の突出部は、前記針スロットに沿った前記針の位置を示すための触覚フィードバックをユーザに提供するために、周期性を伴って前記針スロットに沿って延在する、針受器。
（項目４７）
針受器であって、
進入ゾーンおよび収納ゾーンを有する、下構造と、
収納ゾーンと、前記収納ゾーンに沿って延在する、持針器スロットとを有する、上構造と、
前記下構造と前記上構造との間に１本またはそれを上回る縫合針を受容するための針スロットと、
を備え、複数の突出部は、前記持針器スロットに沿った前記持針器の深さに関する触覚フィードバックをユーザに提供するために前記持針器スロットに沿って延在する、針受器。
（項目４８）
前記複数の突出部は、歯、傾斜歯、歯止め歯、または円形カットアウトのうちの１つまたはそれを上回るものを備える、項目４７に記載の針受器。
（項目４９）
前記複数の突出部は、歯、傾斜歯、歯止め歯、円形カットアウト、フラップ、剛毛、またはフィラメントのうちの１つまたはそれを上回るものを備える、項目４７に記載の針受器。
（項目５０）
前記複数の突出部は、前記持針器スロットに沿った前記持針器の深さのインジケーションを提供するための周期性を伴って配列される、項目４７に記載の針受器。
（項目５１）
針受器であって、
進入ゾーンおよび収納ゾーンを有する、下構造と、
収納ゾーンを有する、上構造と、
前記下構造と前記上構造との間に１本またはそれを上回る縫合針を受容するための針スロットと、
を備え、複数の非対称突出部が、前記針スロットに沿った前記針の除去を阻止するために、前記針スロットに沿って延在する、針受器。
（項目５２）
前記複数の非対称突出部はそれぞれ、頂部まで延在する基部を備え、前記基部は、前記スロットの入口に向かう遠位縁と、前記スロットの近位端上の停止部に向かう近位縁とを備え、前記頂部は、前記遠位縁より前記近位縁の近くに位置する、項目５１に記載の針受器。
（項目５３）
前記複数の非対称突出部は、停止部に向かう移動を促進し、前記針が前記収納ゾーン内に留置するために通過される前記スロットの開口部に向かう移動を阻止するために、前記停止部に近位に向かって傾斜された剛毛またはファイバのうちの１つまたはそれを上回るものを備える、項目５１に記載の針受器。
（項目５４）
前記進入ゾーンは、前記針受器の遠位端にあって、前記収納ゾーンは、前記針受器の近位端にある、項目５１−５３のいずれか１項に記載の針受器。
（項目５５）
前記複数の非対称突出部は、停止部に向かう移動を促進し、前記針が前記収納ゾーン内に留置するために通過される前記スロットの開口部に向かう移動を阻止するために、前記停止部に向かって傾斜された剛毛またはファイバのうちの１つまたはそれを上回るものを備える、項目５１に記載の針受器。
（項目５６）
針受器であって、
抵抗を伴って針を受容するための構造を備え、抵抗の量は、約５グラム〜２５０グラムの範囲内である、針受器。
（項目５７）
前記力の量は、約１５グラム〜約１５０グラムの範囲内である、項目５６に記載の針受器。
（項目５８）
前記力の量は、約２５グラム〜約１００グラムの範囲内である、項目５６に記載の針受器。
（項目５９）
前記力の量は、約３０グラム〜約９０グラムの範囲内である、項目５６に記載の針受器。
（項目６０）
前記針を除去するための力の量は、前記針を挿入するための力の量を上回る、項目５６に記載の針受器。
（項目６１）
前記針受器は、針スロットを備え、前記力の量は、前記針スロットに沿って前記針を前進させるための力の量を含む、項目５６に記載の針受器。
（項目６２）
前記針受器は、持針器スロットを備え、前記力の量は、前記持針器を前記持針器スロットに沿って前進させ、前記針を前記針スロット内に収納するための力の量を含む、項目６１に記載の針受器。
（項目６３）
方法であって、前記方法は、
針受器の中に針を挿入するステップであって、前記針受器は、約５グラム〜２５０グラムの範囲内の力の量で前記針の挿入に抵抗する、ステップを含む、方法。
（項目６４）
前記力の量は、約１５グラム〜約１５０グラムの範囲内である、項目６３に記載の方法。
（項目６５）
前記力の量は、約２５グラム〜約１００グラムの範囲内である、項目６３に記載の方法。
（項目６６）
前記力の量は、約３０グラム〜約９０グラムの範囲内である、項目６３に記載の方法。
（項目６７）
前記針を除去するための力の量は、前記針を挿入するための力の量を上回る、項目６３に記載の方法。
（項目６８）
針トラップであって、降着ゾーンと、収納ゾーンとを備え、前記降着ゾーンは、前記収納ゾーンと略同一平面である、針トラップ。
（項目６９）
方法であって、前記方法は、針を針受器の降着ゾーンに移動させ、前記針を前記針受器の降着ゾーンから収納ゾーンの中に摺動させるステップを含む、方法。
（項目７０）
針受器であって、前記針の中央部分を前記スロット内に懸架しながら、前記針の先端および末端が実質的に封入されることを可能にする、スロット付き構造を備える、針受器。
（項目７１）
針受器であって、前記針受器は、収納ゾーンに沿ったスロットを備え、前記スロットは、約１０ｍｍのサイズを有する指先より小さく定寸される、針受器。
（項目７２）
針受器であって、針溝からの針の回転移動を阻止するために十分に小さい厚さを有する、針溝を備える、針受器。
（項目７３）
滅菌障壁キットであって、
滅菌パッケージと、
前記パッケージ内に含有される滅菌障壁と、を備え、前記キットは、局所麻酔、脊椎麻酔、緊急治療室縫合、または静脈内（ＩＶ）ライン留置のうちの１つまたはそれを上回るものために構成される、滅菌障壁キット。
（項目７４）
前記キットは、局所麻酔、脊椎麻酔、緊急治療室縫合、静脈内（ＩＶ）ライン、動脈ライン、または中枢ライン留置のうちの１つまたはそれを上回るものために構成される、前記項目に記載の滅菌障壁キット。
（項目７５）
前記針受器は、ある範囲の針に合わせて定寸され、随意に、より小さい持針器のためのより小さいスロットを備え、前記スロットは、前記トラップが格納するように設計される最大針の直径以下の幅を備える、前記項目のいずれか１項に記載の針受器。
（項目７６）
前記持針器のための縦方向スロットは、全範囲にわたるスロットを備え、前記スロットは、前記針受器の両側を通して延在する、前記項目のいずれか１項に記載の針受器。
（項目７７）
前記持針器のための縦方向スロットまたは溝は、下中実壁を備え、前記壁は、前記持針器の先端が前記針収納スロット平面を越えて突出することを可能にするために十分な深さに位置し、前記持針器溝またはスロットは、約０．１ｍｍ〜約１０ｍｍの範囲内の距離だけ前記針スロットの真下に延在する、前記項目のいずれか１項に記載の針受器。
（項目７８）
前記針受器は、前記針が前記スロットに沿って引っ張られるにつれて平行移動に対して可変抵抗を生成する、前記スロットの１つまたはそれを上回る側面に対する構造によって境界される縦方向スロットを備え、随意に、前記可変抵抗は、前記針が前記スロットに沿って引っ張られるにつれて、前記針の圧縮を増加させ、触覚フィードバックを提供するために、前記針スロットの中に突出する、離散または非対称特徴のうちの１つまたはそれを上回るもので提供される、前記項目のいずれか１項に記載の針受器。
（項目７９）
前記針受器は、収納ゾーンを備え、前記前腕に適用されることができ、１２ｃｍ未満の幅および２６ｃｍ未満の長さを備える、前記項目のいずれか１項に記載の針受器。
（項目８０）
圧縮部材が、針を収納し、並置された表面に対する前記針の移動に対する抵抗を提供するように構成され、前記発泡体構造は、前記発泡体と前記並置された表面との間に２ｍｍ未満の間隙を備える、前記項目のいずれか１項に記載の針受器。
（項目８１）
針受器の中に針を挿入する方法であって、前記方法は、
前記針を前腕に結合される前記針受器の進入ゾーンに留置するステップと、
前記前腕の平面に沿って前記針を移動させ、前記針受器の筐体内に前記針を収納するステップと、を含む、方法。
（項目８２）
前記障壁は、前記障壁の外面内に陥凹を備え、前記陥凹は、針受器の少なくとも一部をその中に受容し、前記針受器を薄型で前記障壁に結合するように構成される、前記項目のいずれか１項に記載の障壁。
（項目８３）
前記障壁は、針受器が薄型で前記障壁上に提供されるように統合された針受器を備える、前記項目のいずれか１項に記載の障壁。
（項目８４）
前記針受器は、少なくとも部分的に、前記針受器の縦方向持針器スロットを被覆し、前記持針器スロットを通した針先端の暴露のリスクを低減させるように構成される、持針器スロットカバーを備える、前記項目のいずれか１項に記載の針受器。
（項目８５）
前記持針器スロットカバーは、持針器先端が前記持針器スロットに沿って平行移動されると、弾性的に変形するように構成される、１つまたはそれを上回る可撓性ストリップを備える、項目８４に記載の針受器。
（項目８６）
前記持針器スロットカバーは、前記持針器スロットにわたって配置される可撓性ストリップを備え、前記可撓性ストリップは、前記持針器スロットにわたって位置付けられ、前記持針器スロットに沿って縦方向に延在する、縦方向細隙を備える、項目８５に記載の針受器。
（項目８７）
前記可撓性ストリップはさらに、前記持針器スロットの長さにわたって配置され、前記縦方向細隙に対して直交して延在する、複数の垂直細隙を備える、項目８６に記載の針受器。
（項目８８）
前記持針器スロットカバーは、透明材料を含む、項目８５に記載の針受器。
（項目８９）
前記持針器スロットカバーは、前記針受器に摺動可能に結合され、前記持針器先端が前記持針器スロットに沿って平行移動されると、前記持針器スロットを暴露または被覆するように摺動するように構成される、項目８４に記載の針受器。
（項目９０）
前記持針器スロットカバーは、前記持針器スロットの縦軸に沿って摺動するように構成される、項目８９に記載の針受器。
（項目９１）
前記持針器スロットカバーは、前記持針器スロットの縦軸に直交する軸に沿って摺動するように構成される、項目８９に記載の針受器。
（項目９２）
前記針受器は、持針器スロットの第１の縦方向縁に沿って側方に搭載される圧縮部材を備え、前記圧縮部材は、前記持針器スロットに沿った持針器先端の平行移動によって変位され、前記持針器スロットからの持針器先端の除去に応じて、前記第１の縁の対向する持針器スロットの第２の縦方向縁に向かって暴露された針の端部を圧縮押動するように構成される、前記項目のいずれか１項に記載の針受器。
（項目９３）
前記圧縮部材は、前記持針器スロットの縦軸に直交する方向に圧縮力を提供するように構成される、項目９２に記載の針受器。
（項目９４）
前記針受器の筐体は、光導波路を備え、前記針受器は、背面照明を提供するために光を前記光導波路に伝送するように構成される光源に結合される、前記項目のいずれか１項に記載の針受器。
（項目９５）
前記針受器の筐体は、それを通して非均一光伝送を提供するための光散乱材料または表面を備える、前記項目のいずれか１項に記載の針受器。
（項目９６）
前記光散乱表面は、前記下構造または上構造の表面である、項目９５に記載の針受器。
（項目９７）
前記光散乱表面は、粗面化された表面である、項目９５に記載の針受器。
（項目９８）
前記光散乱表面は、サンドブラストされた表面である、項目９５に記載の針受器。
（項目９９）
スエージ加工針を分配および収納するための装置であって、前記装置は、
上部分、底部分、および側壁を備える、筐体と、
前記筐体の上部分に結合されるスエージ加工針であって、前記スエージ加工針は、取り付けられた縫合糸を備える、スエージ加工針と、
を備え、
前記取り付けられた縫合糸は、前記側壁に巻き付けられ、
前記スエージ加工針の前端は、被覆される、装置。
（項目１００）
前記筐体は、前記筐体の中心軸を中心として前記筐体の回転を可能にするように構成されるスピンドルを備える、項目９９に記載の装置。
（項目１０１）
前記装置はさらに、前記装置を障壁に搭載するための搭載機構を備える、項目９９に記載の装置。
（項目１０２）
前記筐体の高さは、約０．３ｍｍ〜約１５ｍｍの範囲内である、項目９９に記載の装置。
（項目１０３）
前記筐体の幅は、約１．５ｃｍ〜約８ｃｍの範囲内である、項目９９に記載の装置。
（項目１０４）
前記装置は、積み重ねられた構成で別の同じ装置に結合するように構成される、項目９９に記載の装置。
（項目１０５）
前記筐体は、前記上部分に結合される蓋を備え、前記スエージ加工針は、前記蓋によって被覆される、項目９９に記載の装置。
（項目１０６）
前記筐体の上部分は、前記スエージ加工針の前端を受容し、前記スエージ加工針をそこに収納するためのスロットを備える、項目９９に記載の装置。
（項目１０７）
スエージ加工針を分配および収納するための装置であって、前記装置は、
底部分と、前記底部分から延在する側壁とを備える、筐体と、
前記底部分の表面から延在する複数のスピンドルと、
前記筐体に結合されるスエージ加工針であって、前記スエージ加工針は、取り付けられた縫合糸を備える、スエージ加工針と、
を備え、
前記取り付けられた縫合糸は、前記複数のスピンドルのうちの少なくとも２つに巻き付けられる、装置。
（項目１０８）
前記複数のスピンドルは、対で前記底部分上に配列され、前記縫合糸は、第１の対のスピンドルに巻き付けられる、項目１０７に記載の装置。
（項目１０９）
前記筐体に結合される第２のスエージ加工針をさらに備え、前記第２のスエージ加工針は、取り付けられた第２の縫合糸を備え、前記第２の縫合糸は、第２の対のスピンドルに巻き付けられる、項目１０８に記載の装置。
（項目１１０）
手術道具に搭載するための針受器であって、前記針受器は、
針を受容し、前記針をその中に収納するための平面針スロットを備える、筐体と、
前記手術道具の遠位端に結合するように構成される、道具搭載界面と、
前記筐体を前記道具搭載界面に結合するように構成される、結合機構と、を備える、針受器。
（項目１１１）
前記筐体は、少なくとも５本の針をその中に受容するように構成される、項目１１０に記載の針受器。
（項目１１２）
前記道具搭載界面は、前記手術道具の遠位端にわたって嵌合するように構成されるエラストマキャップを備える、項目１１０に記載の針受器。
（項目１１３）
前記筐体は、剛性エンクロージャの長さに沿って整合される平面アレイ内に複数の針を受容するように構成される、剛性エンクロージャを備える、項目１１０に記載の針受器。
（項目１１４）
前記筐体は、コンパートメントの円形アレイを備え、各コンパートメントは、単一針をその中に受容するように構成され、前記コンパートメントの円形アレイは、各コンパートメントにアクセスすることを可能にするように前記筐体の中心軸を中心として回転するように構成される、項目１１０に記載の針受器。
（項目１１５）
持針器スロットは、上溝および下溝を備え、前記上溝および前記下溝は、丸みを帯びた縁を備える、前記項目のいずれか１項に記載の針受器。
（項目１１６）
持針器スロットは、上溝および下溝を備え、前記上溝の幅は、前記下溝の幅を上回る、前記項目のいずれか１項に記載の針受器。
（項目１１７）
持針器スロットは、上溝および下溝を備え、前記上溝および前記下溝は、ベベル縁を備える、前記項目のいずれか１項に記載の針受器。
（項目１１８）
持針器スロットが、上溝と、下溝とを備え、前記上溝および下溝の縁は、角度付けられ、共線状である、前記項目のいずれか１項に記載の針受器。
（項目１１９）
持針器スロットが、上溝と、下溝とを備え、前記上溝および下溝の縁は、延長湾曲平面の小区分に対応する、前記項目のいずれか１項に記載の針受器。
（項目１２０）
針取扱システムであって、前記針取扱システムは、
その中に収納される複数の滅菌針を備える、針分配ユニットと、
複数の使用済み針を平面アレイ内に受容するように構成される平面針スロットを備える、針受器と、
上側および底側を備える、障壁搭載基部であって、前記上側は、前記針分配ユニットおよび前記針受器に結合するように構成され、前記底側は、障壁に結合するように構成される、障壁搭載基部と、を備える、針取扱システム。
（項目１２１）
前記障壁搭載基部は、前記針分配ユニットに結合するように構成される第１の部分と、前記針受器に結合するように構成される第２の部分とを備え、前記障壁搭載基部はさらに、前記第１の部分と前記第２の部分との間に配置され、前記第１の部分が前記第２の部分に対して屈曲することを可能にする、ヒンジを備える、項目１２０に記載の針取扱システム。
（項目１２２）
前記針受器は、第１の圧縮部材と、第２の圧縮部材とを備え、前記圧縮部材間に前記針を閉じ込めるように、前記第１の圧縮部材は、針の前端に係合するように構成され、第２の圧縮部材は、前記針の終端に係合するように構成される、前記項目のいずれか１項に記載の針受器。
（項目１２３）
前記針受器は、針の１つまたはそれを上回る端部を受容および封入し、圧縮力を前記１つまたはそれを上回る端部に印加し、前記１つまたはそれを上回る端部をその中に収納するように構成される、１つまたはそれを上回るクリップを備える、前記項目のいずれか１項に記載の針受器。
（項目１２４）
針受器であって、
複数のコンパートメントを備える、筐体であって、各コンパートメントは、単一針をその中に含有するように構成される、筐体と、
前記筐体に結合される回転可能カバーであって、前記回転可能カバーは、窓を備え、前記回転可能カバーは、前記筐体の中心軸を中心として回転し、前記窓と単一コンパートメントを整合させ、前記窓を通して前記単一コンパートメントにアクセスすることを可能にするように構成される、回転可能カバーと、を備える、針受器。
（項目１２５）
分配ユニットおよび使用済み針保管場所の両方の組み合わせを前記鉗子上で関連付けるステップをさらに含む、前記項目のいずれか１項に記載の方法、装置、針受器、キット、または障壁。
（項目１２６）
縫合パッケージおよび針受器の１つを上回る設定は、使用のための準備ができている、前記項目のいずれか１項に記載の方法、装置、針受器、キット、または障壁。
（項目１２７）
使用済み針受器と組み合わせた滅菌使い捨て鉗子、針、および縫合パッケージを備える、前記項目のいずれか１項に記載の方法、装置、針受器、キット、または障壁。
（項目１２８）
前記使用済み針受器と組み合わせた滅菌使い捨て鉗子、針、および縫合パッケージは、共通パッケージの中に同時に製造される、前記項目のいずれか１項に記載の方法、装置、針受器、キット、または障壁。
（項目１２９）
平衡手術用鉗子が、前記鉗子上に取り付けられた針保定デバイスを有する、前記項目のいずれか１項に記載の方法、装置、針受器、キット、または障壁。
（項目１３０）
構成が、対向側に前記縫合パッケージおよび針受器の背中合わせ関係を備える、前記項目のいずれか１項に記載の方法、装置、針受器、キット、または障壁。
（項目１３１）
前記縫合パッケージおよび針受器は、前記鉗子に取り付けられ、１本またはそれを上回る針の先端および端部（末端）の両方の含有、被覆、収納を可能にする、前記項目のいずれか１項に記載の方法、装置、針受器、キット、または障壁。
（項目１３２）
鉗子搭載型針受器が、使用済み針の編成された留置またはアレイを助長し、計数および針計数の照合を促進する、前記項目のいずれか１項に記載の方法、装置、針受器、キット、または障壁。
（項目１３３）
針受器が、５本の針のためのサイズおよび形状を伴って構成され、針毎に１つずつの５つのゾーンを備える、前記項目のいずれか１項に記載の方法、装置、針受器、キット、または障壁。
（項目１３４）
個々のゾーンの中への局在化を促進するために５つの触覚バンプを備える、前記項目のいずれか１項に記載の方法、装置、針受器、キット、または障壁。
（項目１３５）
個々のゾーンの中への局在化を促進するために２〜２０の触覚バンプを備える、前記項目のいずれか１項に記載の方法、装置、針受器、キット、または障壁。
（項目１３６）
個々のゾーンの中への局在化を促進するために５〜８つの触覚バンプを備える、前記項目のいずれか１項に記載の方法、装置、針受器、キット、または障壁。
（項目１３７）
個々のゾーンの中への局在化を促進するために３〜１０の触覚バンプを備える、前記項目のいずれか１項に記載の方法、装置、針受器、キット、または障壁。
（項目１３８）
針外形コントラストを向上させるための背面照明のために構成される、前記項目のいずれか１項に記載の方法、装置、針受器、キット、または障壁。
（項目１３９）
５つのゾーンに特定の光源を備え、前記針受器の中への針あたり１つの光源を提供するように構成され、前記光源は、前記針受器上に位置する、前記項目のいずれか１項に記載の方法、装置、針受器、キット、または障壁。
（項目１４０）
前記トラップ上の５つの光源またはセンサは、前記障壁と結合され、前記障壁は、前記針受器内のトラップの中の針の数に従って照明する５つの光源で構成される、前記項目のいずれか１項に記載の方法、装置、針受器、キット、または障壁。
（項目１４１）
歯止め計数機構を伴う平行移動式スロットカバーを備える、前記項目のいずれか１項に記載の方法、装置、針受器、キット、または障壁。
（項目１４２）
針装置であって、
一対の対向針受器を備え、各針受器は、前側および後側と、前記前側の針を受容するための開口部とを有し、前記後側は、相互に向かって配向され、前記前側は、相互から離れるように配向される、針装置。
（項目１４３）
針装置であって、
一対の対向縫合パッケージを備え、各縫合パッケージは、前側と、後側とを有し、前記前側は、そこから複数の針にアクセスするために開放され、前記後側は、相互に向かって配向され、前記前側は、相互から離れるように配向される、針装置。
（項目１４４）
針装置であって、
前側および後側を有し、かつ前記前側の針を受容するための開口部を有する、針受器と、
前側および後側を有する、縫合パッケージであって、前記前側は、そこから複数の針にアクセスするために開放され、前記後側は、相互に向かって配向され、前記前側は、相互から離れるように配向される、縫合パッケージと、を備える、針装置。
（項目１４５）
前記針装置を手術器具上に搭載するための界面をさらに備え、前記界面は、随意に、前記器具の近位端を受容するためのスロットを備える、前記項目のいずれか１項に記載の針装置。
（項目１４６）
前記針装置を鉗子上に搭載するための界面をさらに備え、前記界面は、随意に、前記鉗子の近位端を受容するためのスロットを備える、前記項目のいずれか１項に記載の針装置。
（項目１４７）
前記針装置をピンセット上に搭載するための界面をさらに備え、前記界面は、随意に、前記ピンセットの近位端を受容するためのスロットを備える、前記項目のいずれか１項に記載の針装置。
（項目１４８）
前記界面は、接着剤を備える、前記項目のいずれか１項に記載の針装置。
（項目１４９）
前記対向後側は、共通軸を中心として回転可能である、前記項目のいずれか１項に記載の針装置。
（項目１５０）
前記対向後側は、独立して、共通軸を中心として回転可能である、前記項目のいずれか１項に記載の針装置。
（項目１５１）
一対の使い捨て鉗子をさらに備える、前記項目のいずれか１項に記載の針装置。
（項目１５２）
前記装置は、滅菌されており、滅菌パッケージ内に含有される、前記項目のいずれか１項に記載の針装置。
（項目１５３）
前記障壁は、詰め物層と、機械的障壁層とを備え、１つまたはそれを上回る磁石が、１つまたはそれを上回る磁石が前記詰め物層と前記機械的障壁層との間に配置されるように、前記詰め物層に面する前記機械的障壁層の表面に結合される、前記項目のいずれか１項に記載の障壁。
（項目１５４）
前記障壁は、ポリマー材料を含む機械的障壁層を備える、前記項目のいずれか１項に記載の障壁。
（項目１５５）
前記障壁は、約０．５ｍｍ〜約５ｍｍの範囲内の厚さを伴うポリマー材料を含む、前記項目のいずれか１項に記載の障壁。
（項目１５６）
縫合針を取り扱うための方法であって、前記方法は、
支持体上に搭載される縫合パッケージから縫合針を分配するように、持針器を用いて前記縫合針を把持するステップと、
前記支持体上に搭載される針受器の中に前記分配された縫合針を留置するステップと、を含む、方法。
（項目１５７）
前記分配された縫合針の先端は、前記把持するステップおよび前記留置するステップ中に外科医から離して配向される、項目１５６に記載の方法。
（項目１５８）
前記分配された縫合針は、前記把持するステップから前記留置するステップまで２フィート未満進行する、項目１５６に記載の方法。
（項目１５９）
前記縫合針は、前記把持するステップから前記留置するステップまで４フィート未満の往復距離を進行する、項目１５６に記載の方法。
（項目１６０）
前記縫合針は、前記縫合パックから創傷まで２フィート以下および前記創傷から前記針受器まで２フィート以下進行する、項目１５９に記載の方法。
（項目１６１）
前記分配された縫合針は、前記把持するステップおよび留置するステップ中に近傍手術野内に留まる、項目１５６に記載の方法。
（項目１６２）
前記近傍手術野は、外科医の胴体の前側から切開部まで延在する長さ、中立回転位置で前記外科医の前腕の間に延在する幅、および前記切開部の高さから前記外科医の肩まで垂直に延在する高さによって境界される、項目１６１に記載の方法。
（項目１６３）
前記縫合パッケージおよび前記針受器は、前記外科医が前記縫合パッケージから複数の針を分配し、外科医の腕の解剖学的中立平面に対して前記腕の外旋を伴わずに前記針受器の中に前記複数の針を留置するために配列される、項目１５６に記載の方法。
（項目１６４）
前記縫合パッケージおよび前記針受器は、前記外科医が前記縫合パッケージから複数の針を分配し、外科医の腕の外旋を伴わずに前記外科医の冠状平面を越えて前記針受器の中に前記複数の針を留置するために配列される、項目１５６に記載の方法。
（項目１６５）
前記縫合パッケージおよび前記針受器は、前記外科医が前記縫合パッケージから複数の針を分配し、外科医の腕の外旋を伴わずに前記外科医の肩における前記外科医の冠状平面と垂直な平面を越えて前記針受器の中に前記複数の針を留置するために配列される、項目１５６に記載の方法。
（項目１６６）
前記縫合パッケージおよび前記針受器は、前記外科医が前記縫合パッケージから複数の針を分配し、外科医の腕の外旋を伴わずに前記外科医の肩における冠状平面を二分する矢状平面を越えて前記針受器の中に前記複数の針を留置するために配列される、項目１５６に記載の方法。
（項目１６７）
前記縫合パッケージおよび前記針受器は、前記外科医が前記縫合パッケージから複数の針を分配し、外科医の腕の外旋を伴わずに前記外科医の中央矢状平面を越えて前記針受器の中に前記複数の針を留置するために配列される、項目１５６に記載の方法。
（項目１６８）
前記近傍手術野は、前記切開部の約２フィート、前記切開部の１．５フィート、もしくは前記切開部の１フィートのうちの１つまたはそれを上回るもの以内に配置される空間を備える、項目１６１に記載の方法。
（項目１６９）
前記縫合パッケージおよび前記針受器は、前記支持体に取り付けられた、項目１５６に記載の方法。
（項目１７０）
複数の縫合針が前記縫合パッケージから分配され、前記針受器の中に留置されるまで、前記把持するステップおよび留置するステップを繰り返すステップをさらに含む、項目１５６に記載の方法。
（項目１７１）
前記分配された縫合針は、縫合糸に取り付けられ、前記方法はさらに、前記分配された縫合針および前記持針器を用いて患者の中に前記縫合糸を設置するステップを含む、項目１５６に記載の方法。
（項目１７２）
複数の縫合糸が前記患者の中に設置されるまで、前記把持、設置、および留置するステップを繰り返すステップをさらに含む、項目１７１に記載の方法。
（項目１７３）
前記縫合パックおよび前記針受器は、外科医が片手で前記把持するステップおよび留置するステップを行うために配列される、項目１５６に記載の方法。
（項目１７４）
前記支持体は、外科医によって制御される可動支持体を備える、項目１５６に記載の方法。
（項目１７５）
前記針受器は、前記針受器上で安定して支持される縫合糸の１つまたはそれを上回るリールからスエージ加工針の縫合糸を分配するために、前記スエージ加工針に結合される縫合糸の１つまたはそれを上回るリールを安定した構成に留置するように位置する構造を備える、項目１５６に記載の方法。
（項目１７６）
前記縫合パックは、前記縫合パック上で安定して支持される構造から縫合糸の１つまたはそれを上回るリールおよび針を分配するために、それぞれスエージ加工針上に結合された縫合糸の１つまたはそれを上回るリールを安定構成の中に留置するように位置する構造を備える、項目１５６に記載の方法。
（項目１７７）
前記縫合パックは、前記縫合パック上で安定して支持される１つまたはそれを上回るリールからスエージ加工針の縫合糸を分配するために、スエージ加工針に結合された縫合糸の１つまたはそれを上回るリールを安定構成の中に留置するように位置する構造を備える、項目１５６に記載の方法。
（項目１７８）
片手で前記分配された縫合針に取り付けられた縫合糸を切断するステップをさらに含む、項目１５６に記載の方法。
（項目１７９）
前記支持体は、外科医によって支持される障壁を備える、項目１５６に記載の方法。
（項目１８０）
前記障壁を前記外科医の肢に結合するステップをさらに含む、項目１７９に記載の方法。
（項目１８１）
前記障壁を前記外科医の肢に解放可能に結合するステップをさらに含む、項目１７９に記載の方法。
（項目１８２）
トレイ上で支持される複数の縫合パッケージの間で前記縫合パッケージを選択し、前記縫合パッケージを前記障壁上に留置するステップをさらに含む、項目１７９に記載の方法。
（項目１８３）
トレイ上で支持される複数の針受器の間で前記針受器を選択し、前記針受器を前記障壁上に留置するステップをさらに含む、項目１７９に記載の方法。
（項目１８４）
前記縫合パッケージ、前記針受器、および前記支持体は、滅菌されている、項目１５６に記載の方法。
（項目１８５）
前記支持体もしくは前記障壁のうちの１つまたはそれを上回るものは、前記障壁から延在する１つまたはそれを上回る構造で、外科医の手の後部分の上に留置するために構成される、項目１７９に記載の方法。
（項目１８６）
前記縫合パッケージおよび前記針受器は、内蔵パッケージを備え、前記内蔵パッケージは、前記縫合パッケージおよび前記針受器で支持される複数の非侵害性針を伴って、ともに外科医から助手に、およびその逆に渡されることが可能である、項目１５６に記載の方法。
（項目１８７）
前記縫合パッケージは、前記針受器に取り付けられる、項目１８６に記載の方法。
（項目１８８）
前記縫合パッケージは、ヒンジ付き支持部材で前記針受器に可撓的に取り付けられる、項目１８６に記載の方法。
（項目１８９）
前記縫合パッケージおよび針受器の組み合わせは、前記外科医の手の上の支持体に取り付けられる、項目１８６に記載の方法。
（項目１９０）
前記縫合パッケージおよび針受器の組み合わせは、前記外科医の手の上の前記支持体に共形化可能に取り付けられ、前記縫合パックは、相互に対して４５度未満の斜角にある平面縫合パッケージおよび前記針受器を備え、前記縫合パッケージおよび前記針受器はそれぞれ、前記針受器の外形を減少させるように前記支持体と接触し、前記縫合パッケージは、前記支持体上にともに組み立てられる、項目１８６に記載の方法。
（項目１９１）
前記縫合パッケージおよび前記トラップは、障壁のサイズを減少させるために、少なくとも部分的に、重複する、項目１８６に記載の方法。
（項目１９２）
前記縫合パッケージおよび前記トラップは、障壁上の縫合パッケージおよび前記トラップの占有面積を減少させるために、少なくとも部分的に、重複する、項目１８６に記載の方法。
（項目１９３）
前記パッケージおよび前記針受器トラップは、近位から遠位の方向に重複する、項目１９１に記載の方法。
（項目１９４）
前記縫合パッケージおよび針受器は、内側から外側の方向に重複する、項目１９１に記載の方法。
（項目１９５）
前記縫合パッケージおよび前記針受器は、取付機構を備え、前記縫合パッケージは、標準的な市販の針パッケージを備える、項目１８６に記載の方法。
（項目１９６）
針受器取付機構は、前記針受器の側方境界または遠位境界のうちの１つまたはそれを上回るものへの縫合パッケージの取付を可能にする、項目１８６に記載の方法。
（項目１９７）
前記障壁を前記外科医の肢に結合するステップは、前記外科医の前腕の掌側部分にわたって前記障壁を留置するステップを含む、項目１８０に記載の方法。
（項目１９８）
前記針受器は、前記外科医の掌側前腕にわたって留置される、項目１９７に記載の方法。
（項目１９９）
前記針受器は、前記掌側前腕にわたって留置された平面構造を備える、項目１９８に記載の方法。
（項目２００）
前記針受器は、前記掌側前腕にわたって留置された平面構造を備え、随意に、前記平面構造は、前記掌側前腕の中間部分にわたって留置される、項目１９９に記載の方法。
（項目２０１）
前記針受器は、針ホルダを保持する手が若干回外されると、使用済み針の容易な挿入を可能にするために前記掌側前腕にわたって配列され、前記針は、前記針受器の開口部の中に前記使用済み針を整合および留置するために、肩関節回転に伴う持針器を保持する腕の回転で前記針受器内に留置される、項目１９９に記載の方法。
（項目２０２）
前記針受器は、針ホルダを保持する手が若干回内されると、使用済み針の容易な挿入を可能にするために前記掌側前腕にわたって配列され、前記針は、前記針受器の開口部の中に前記使用済み針を整合および留置するために、肩関節回転に伴う持針器を保持する腕の回転で前記針受器内に留置される、項目１９９に記載の方法。
（項目２０３）
前記針受器は、縦方向長さ、横方向幅、および高さを備え、前記長さは、前記幅および前記高さを上回り、前記幅は、前記高さを上回り、随意に、前記長さは、約４ｃｍ〜約１５ｃｍの範囲内であり、前記幅は、約３ｃｍ〜約６ｃｍの範囲内であり、前記高さは、約０．５ｃｍ〜約２ｃｍの範囲内である、項目１９９に記載の方法。
（項目２０４）
前記障壁を前記外科医の肢に結合するステップは、
前記障壁の側面から延在する脚部を提供するステップと、
前記外科医の前腕上で前記障壁を安定させるように、前記外科医の肢上で前記脚部を係合させるステップと、を含む、項目１８０に記載の方法。
（項目２０５）
前記外科医の肢上で前記脚部を係合させるステップは、前記外科医の前腕の遠位部分もしくは近位部分のうちの１つまたはそれを上回るものに係合するステップを含む、項目２０４に記載の方法。
（項目２０６）
前記脚部は、第１の部分もしくは第２の部分のうちの１つまたはそれを上回るもの上の安定した留置のために、少なくとも複数の脚部を備える、項目２０５に記載の方法。
（項目２０７）
前記脚部は、スラップブレスレットを備える、項目２０５に記載の方法。
（項目２０８）
前記脚部は、第１の脚部と、第２の脚部とを備え、前記方法はさらに、前記障壁を前記外科医の肢に固着させるように、前記第１の脚部上に第１の結合機構および前記第２の脚部上に第２の結合機構を収納するステップを含む、項目２０４に記載の方法。
（項目２０９）
前記縫合パッケージを前記障壁に結合するステップをさらに含む、項目１７９に記載の方法。
（項目２１０）
前記針受器を前記障壁に結合するステップをさらに含む、項目１７９に記載の方法。
（項目２１１）
前記支持体もしくは前記障壁のうちの１つまたはそれを上回るものは、前記縫合針との接触から前記外科医の肢を保護するように構成される障壁層を備える、項目１８０に記載の方法。
（項目２１２）
前記支持体は、外科医によって保持される手術道具を備える、項目１５６に記載の方法。
（項目２１３）
前記外科医は、他方の手で前記手術道具を保持しながら、一方の手で前記把持するステップおよび留置するステップを行う、項目２１２に記載の方法。
（項目２１４）
複数の縫合パッケージは、前記支持体上に搭載される、項目１５６に記載の方法。
（項目２１５）
前記針受器の中に前記分配された縫合針を留置するステップは、前記針受器内で前記分配された縫合針の両端を非侵害性の状態にするステップを含む、項目１５６に記載の方法。
（項目２１６）
前記針受器の中に前記分配された縫合針を留置するステップは、前記分配された縫合針の先端に対して前記針受器の構成要素を圧縮するステップを含む、項目１５６に記載の方法。
（項目２１７）
前記針受器の中に前記分配された縫合針を留置するステップは、前記分配された縫合針を前記針受器内の発泡材料と接触させるステップを含む、項目１５６に記載の方法。
（項目２１８）
前記針受器の中に前記分配された縫合針を留置するステップは、前記針受器の中に前記分配された縫合針を誘導するテーパ状構造の中に前記分配された縫合針の先端を留置するステップを含む、項目１５６に記載の方法。
（項目２１９）
前記針受器のドアを開放するように、前記ドアに結合されるレバーを作動させるステップをさらに含む、項目１５６に記載の方法。
（項目２２０）
前記ドアを通して前記針受器に前記分配された縫合針を挿入するステップをさらに含む、項目２１９に記載の方法。
（項目２２１）
前記ドアを閉鎖するように前記レバーを作動させるステップをさらに含む、項目２２０に記載の方法。
（項目２２２）
前記持針器を用いて前記縫合針を把持する前に、前記縫合パッケージが前記持針器に面するように、前記支持体を回転させるステップをさらに含む、項目１５６に記載の方法。
（項目２２３）
前記持針器を用いて前記針受器の中に前記分配された縫合針を留置する前に、前記針受器が前記持針器に面するように、前記支持体を回転させるステップをさらに含む、項目１５６に記載の方法。
（項目２２４）
前記針受器は、仕切によって分離される複数のチャネルを備え、前記針受器の中に前記分配された縫合針を留置するステップは、前記複数のチャネルのうちの１つの中に前記分配された縫合針を留置するステップを含む、項目１５６に記載の方法。
（項目２２５）
複数の縫合針は、前記縫合パッケージから分配され、前記針受器の中に前記分配された縫合針を留置するステップは、前記複数のチャネルのうちの異なる１つの中に前記複数の分配された縫合針のそれぞれを留置するステップを含む、項目２２４に記載の方法。
（項目２２６）
前記仕切は、前記分配された縫合針の近位端もしくは遠位端のうちの１つまたはそれを上回るものを囲繞する、項目２２４に記載の方法。
（項目２２７）
前記針受器は、透明構造を備える、項目１５６に記載の方法。
（項目２２８）
前記支持体は、手術用鉗子の近位部分に結合される、項目１５６に記載の方法。
（項目２２９）
前記縫合パッケージもしくは前記針受器のうちの１つまたはそれを上回るものは、手術用鉗子の近位部分に結合される、項目１５６に記載の方法。
（項目２３０）
前記縫合パッケージおよび前記針受器は、外科医が近傍手術野内の複数の分配されていない針および複数の分配された針を計数するために配列される、項目１５６に記載の方法。
（項目２３１）
前記縫合パッケージおよび前記針受器は、外科医が近傍手術野内で針保有量を維持するために配列される、項目１５６に記載の方法。
（項目２３２）
前記縫合パッケージおよび前記針受器は、外科医が近傍手術野内の針保有量を照合させるために配列される、項目１５６に記載の方法。
（項目２３３）
前記支持体上に搭載される針受器の中に前記分配された縫合針を留置するステップはさらに、前記針を前記針受器に収納するステップを含む、項目１５６に記載の方法。
（項目２３４）
縫合針を取り扱うための装置であって、前記装置は、
複数の縫合針を分配するように構成される縫合パッケージと、
複数の分配された縫合針を格納するように構成される針受器と、
前記縫合パッケージもしくは前記針受器のうちの１つまたはそれを上回るものを支持するように構成される支持体と、を備える、装置。
（項目２３５）
前記針受器は、外科医から離れて配向される前記縫合針の先端を伴って、前記針受器の中に前記縫合針を留置するように配列される、項目２３４に記載の装置。
（項目２３６）
前記針受器は、前記縫合針の先端が前記針受器の中への縫合針の平行移動の方向から離れて配向された状態で、前記縫合針を前記針受器内に留置するように配列される、項目２３４に記載の装置。
（項目２３７）
前記縫合針は、湾曲縫合針を備え、前記針受器は、前記外科医から離れて配向される前記縫合針の各端部を伴って、前記針受器の中に前記縫合針を留置するように配列される、項目２３５に記載の装置。
（項目２３８）
前記針受器は、前記縫合パッケージを受容し、前記縫合パッケージを安定して支持する構造を備える、項目２３５に記載の装置。
（項目２３９）
前記縫合パッケージおよび前記針受器は、前記外科医が前記縫合パッケージから複数の針を分配し、前記腕の解剖学的中立平面に対して外科医の腕の外旋を伴わずに前記針受器の中に前記複数の針を留置するために配列される、項目２３５に記載の装置。
（項目２４０）
前記縫合パッケージおよび前記針受器は、前記外科医が前記縫合パッケージから複数の針を分配し、外科医の腕の外旋を伴わずに前記外科医の近傍手術野の外側において前記針受器の中に前記複数の針を留置するために配列される、項目２３５に記載の装置。
（項目２４１）
前記針受器は、前記針受器上で安定して支持される縫合糸の１つまたはそれを上回るリールからスエージ加工針の縫合糸を分配するために、前記スエージ加工針に結合される縫合糸の１つまたはそれを上回るリールを安定した構成に留置するように位置する構造を備える、項目２３５に記載の装置。
（項目２４２）
前記針受器は、前記外科医の腕上の障壁、前記患者を被覆するドレープ、および支持体から選択される群のうちの１つに搭載される共通基部によって安定して支持される前記１つまたはそれを上回るリールからスエージ加工針の縫合糸を分配するために、それぞれスエージ加工針に結合された縫合糸の１つまたはそれを上回るリールを安定構成の中に留置するように位置する構造を備える、項目２３５に記載の装置。
（項目２４３）
片手で前記縫合針の縫合糸を切断するために前記支持体とともに配列されるカッタをさらに備える、項目２３５に記載の装置。
（項目２４４）
その上に支持された複数の縫合パッケージを有する、滅菌トレイをさらに備える、項目２３５に記載の装置。
（項目２４５）
前記縫合パッケージ、前記針受器、および前記支持体は、滅菌されている、項目２３５に記載の装置。
（項目２４６）
前記支持体もしくは前記プラットフォームのうちの１つまたはそれを上回るものは、前記プラットフォームから延在する１つまたはそれを上回る構造で、外科医の手の後部分の上に留置するために構成される、項目２３５に記載の装置。
（項目２４７）
前記支持体は、前記支持体上で前記縫合パッケージおよび前記針受器を安定して支持するために、ならびに前記支持体が反転または傾斜されると、前記支持体からの縫合パッケージおよび前記針受器の摺動または落下を阻止するために、前記縫合パッケージおよび前記針受器に取り付けられるように構成され、前記支持体は、前記縫合パッケージおよび前記針受器を解放するように構成される、項目２３４に記載の装置。
（項目２４８）
前記縫合パックおよび前記針受器は、外科医が片手で把持するステップおよび留置するステップを行うために配列される、項目２３４に記載の装置。
（項目２４９）
前記支持体は、外科医によって制御されるように構成される可動支持体を備える、項目２３４に記載の装置。
（項目２５０）
前記支持体は、外科医によって支持されるように構成されるプラットフォームを備える、項目２３４に記載の装置。
（項目２５１）
前記支持体は、外科医、ドレープ、前記手術台に結合される搭載部、および安定搭載部から選択される群のうちの１つによって支持されるように構成されるプラットフォームを備える、項目２３４に記載の装置。
（項目２５２）
前記プラットフォームは、前記プラットフォームを前記外科医の肢に結合するように構成される結合部を備える、項目２５０に記載の装置。
（項目２５３）
前記結合部は、前記プラットフォームの側面から延在する１つまたはそれを上回る脚部を備え、前記脚部は、前記外科医の肢に係合するように構成される、項目２５２に記載の装置。
（項目２５４）
前記結合部は、スラップブレスレットを備える、項目２５２に記載の装置。
（項目２５５）
前記支持体もしくは前記プラットフォームのうちの１つまたはそれを上回るものは、分配された縫合針の１つまたはそれを上回る端部との接触から前記外科医を保護するように構成される障壁を備える、項目２５２に記載の装置。
（項目２５６）
前記支持体は、近傍手術野内にプラットフォームを留置するように調節可能支持構造に結合される、プラットフォームを備える、項目２３４に記載の装置。
（項目２５７）
前記支持体は、プラットフォームを備え、前記プラットフォームは、近傍手術野内にあり、調節可能支持構造、安定搭載部、およびドレープから成る群のうちの１つに結合される、項目２３４に記載の装置。
（項目２５９）
前記支持体は、挟持運動で組織に係合するように構成される、手術用鉗子に結合するように構成される、項目２３４に記載の装置。
（項目２６０）
前記支持体は、前記手術用鉗子の近位端に結合するように構成される、項目２５９に記載の装置。
（項目２６１）
前記手術用鉗子は、アドソン鉗子もしくはボニー鉗子のうちの１つまたはそれを上回るものを備える、項目２５９に記載の装置。
（項目２６２）
前記装置は、４５グラム未満の重量がある、項目２５９に記載の装置。
（項目２６３）
前記縫合パッケージおよび前記針受器を前記手術道具の近位部分に結合する結合部をさらに備える、項目２５９に記載の装置。
（項目２６４）
１つまたはそれを上回る縫合パッケージを支持するように構成される、縫合パッケージホルダをさらに備える、項目２５９に記載の装置。
（項目２６５）
前記縫合パッケージホルダは、前記手術道具の近位部分に結合される、項目２６４に記載の装置。
（項目２６６）
前記針受器および前記縫合パッケージは、前記手術道具の対向側で支持される、項目２６３に記載の装置。
（項目２６７）
前記縫合パッケージホルダおよび前記針受器は、前記手術道具の同一側で支持される、項目２６３に記載の装置。
（項目２６８）
前記結合部は、道具取付ポケットを備え、前記手術道具の近位部分は、前記道具取付ポケットの中に留置される、項目２６３に記載の装置。
（項目２６９）
前記道具取付ポケットは、接着層で前記手術道具に結合される、項目２６８に記載の装置。
（項目２７０）
前記装置は、前記手術道具の近位部分に結合される２つの縫合パッケージを備え、前記針受器は、前記２つの縫合パッケージの間に狭装される、項目２６３に記載の装置。
（項目２７１）
持針器を保持するために前記支持体上に搭載される道具ホルダをさらに備える、項目２３４に記載の装置。
（項目２７２）
鋏を保持するために前記支持体上に搭載される道具ホルダをさらに備える、項目２３４に記載の装置。
（項目２７３）
前記針受器は、前記針受器の中に留置される分配された縫合針の両端を含有するように構成される、項目２３４に記載の装置。
（項目２７４）
前記針受器は、前記針受器の中に留置される分配された縫合針の先端に対して針受器の構成要素を圧縮する機構を備える、項目２３４に記載の装置。
（項目２７５）
前記針受器は、前記針受器の中に分配された縫合針の先端を誘導するテーパ状構造を備える、項目２３４に記載の装置。
（項目２７６）
前記針受器は、分配された縫合針の一部を前記針受器の中に誘導するテーパ状構造を備える、項目２３４に記載の装置。
（項目２７７）
前記分配された縫合針の一部は、前記針の先端である、項目２７６に記載の装置。
（項目２７８）
前記針受器は、前記針受器の中に留置される分配された縫合針の先端に接触するように成形される発泡材料を備える、項目２３４に記載の装置。
（項目２７９）
前記針受器は、ドアを開閉するためのレバーに結合されるドアを備える、項目２３４に記載の装置。
（項目２８０）
前記針受器は、４５グラム未満の重量がある、項目２３４に記載の装置。
（項目２８１）
前記針受器は、前記複数の分配された縫合針を格納するための複数のチャネルを備える、項目２３４に記載の装置。
（項目２８２）
前記針受器はさらに、
電源と、
前記電源に電気的に結合される第１の導体と、
前記電源と第２の導体との間に電気的に結合される第１の視覚インジケータと、
を備え、前記第１の視覚インジケータは、第１の分配された縫合針が前記第１の導体および前記第２の導体の両方と接触させられると、前記複数のチャネルのうちの第１のチャネルの中の第１の分配された縫合針の存在を示す、項目２８１に記載の装置。
（項目２８３）
前記電源は、バッテリを備える、項目２８２に記載の装置。
（項目２８４）
前記第１の視覚インジケータは、第１のライトを備える、項目２８２に記載の装置。
（項目２８５）
前記針受器はさらに、
前記電源と第３の導体との間に電気的に結合される第２の視覚インジケータを備え、
前記第２の視覚インジケータは、第２の使用済みの針が前記第２の導体および前記第３の導体の両方と接触させられると、前記複数のチャネルのうちの第２のチャネルの中の第２の使用済みの針の存在を示す、項目２８２に記載の装置。
（項目２８６）
前記第２の視覚インジケータは、第２のライトを備える、項目２８５に記載の装置。
（項目２８７）
前記針受器はさらに、前記複数のチャネルの数値マーキングを備える、項目２８１に記載の装置。
（項目２８８）
前記針受器は、前記針受器の中に留置されると、前記縫合針の両端を非侵害性の状態にするように構成され、前記針受器は、非侵害性の状態にされた両端を伴う前記針を視認する構造を備える、項目２３４に記載の装置。
（項目２８９）
前記針受器は、前記縫合針を受容するように、および針受器支持体上で前記針受器内の手術用針を安定させるように構成され、前記針受器支持体は、前記縫合針を安定させるように、磁石、接着剤、もしくは偏向可能材料のうちの１つまたはそれを上回るものを備える、項目２３４に記載の装置。
（項目２９０）
前記針受器は、前記針受器内で前記手術用針を安定させるために、摺動移動および前記摺動移動への対応する抵抗を伴って前記縫合針を受容するように構成される、項目２３４に記載の装置。
（項目２９１）
前記針受器は、その中の非侵害性の状態にされた複数の縫合針を視認するように透明カバーを備え、前記針受器は、前記縫合針受器内に前記複数の縫合針を留置するように開口部を備える、項目２３４に記載の装置。
（項目２９２）
前記針受器は、計数のためにアレイに沿って複数の針を配列するように構造化アレイを備える、項目２３４に記載の装置。
（項目２９３）
外科医による縫合針の収納のための方法であって、前記方法は、
持針器を用いて縫合針を針受器の開口部の中に挿入するステップと、
前記針の端部を材料の中に挿入するように、前記針受器の内側で前記縫合針を回転させるステップと、
前記持針器から前記縫合針を解放するステップと、を含む、方法。
（項目２９４）
前記挿入するステップでは、前記針は、前端から離れて平行移動させられ、前記回転させるステップでは、前記針の終端は、変形可能構造の中に挿入され、前記材料は、変形可能材料、接着材料、もしくは弾性材料のうちの１つまたはそれを上回るものを含み、前記材料は、発泡体、弾性膜、もしくは接着剤のうちの１つまたはそれを上回るものを含む、項目２９３に記載の装置。
（項目２９５）
外科医による縫合針の収納のための方法であって、前記方法は、
持針器を用いて縫合針を針受器の開口部の中に挿入するステップと、
前記針受器の内側で前記縫合針を収納するステップと、
前記持針器から前記縫合針を解放するステップと、
を含み、前記針受器は、複数の縫合針を格納するように構成される、方法。
（項目２９６）
前記針受器は、近傍手術野内に位置する、項目２９５に記載の方法。
（項目２９７）
前記針受器は、進入ゾーンと、収納ゾーンとを備え、前記挿入するステップは、前記針受器の進入ゾーン上に前記縫合針を留置するステップを含み、前記収納するステップは、前記進入ゾーンから前記収納ゾーン内の針スロットの中に前記縫合針を摺動させるステップを含む、項目２９５に記載の方法。
（項目２９８）
前記針受器は、第２の針受器に結合され、前記方法はさらに、前記第２の針受器の第２の進入ゾーン上に第２の縫合針を留置するステップと、前記第２の進入ゾーンから前記第２の針受器の第２の収納ゾーンの中に前記第２の縫合針を摺動させるステップとを含む、項目２９７に記載の方法。
（項目２９９）
前記収納ゾーンは、持針器スロットを備え、前記挿入するステップは、前記収納ゾーンの中に前記縫合針を留置するように、前記持針器スロットに沿って前記持針器の遠位部分を移動させるステップを含む、項目２９７に記載の方法。
（項目３００）
前記収納ゾーンは、前記収納するステップ中に前記縫合針の少なくとも一部に対して圧縮する圧縮部材を備える、項目２９７に記載の方法。
（項目３０１）
前記収納ゾーンは、前記収納するステップ中に前記縫合針の少なくとも一部に対して力を印加する圧縮部材を備える、項目２９７に記載の方法。
（項目３０２）
前記収納ゾーンは、前記針スロットの中に延在する複数の突出部を備え、前記収納するステップは、前記収納ゾーン内の複数の突出部に対して前記縫合針を移動させるステップを含む、項目２９７に記載の方法。
（項目３０３）
前記針受器の中に留置された前記縫合針を検出するステップと、
前記針受器内に配置された縫合針の数を判定するステップと、
視覚ディスプレイ上で前記針受器内に配置された前記縫合針の数を表示するステップと、をさらに含む、項目２９５に記載の方法。
（項目３０４）
前記針受器は、電源に電気的に結合される、第１の導体と、第２の導体とを備え、前記針受器内に配置される前記縫合針は、前記第１の導体および前記第２の導体の両方と接触し、前記検出するステップは、前記第１の導体および前記第２の導体を通る電流を測定するステップを含む、項目３０３に記載の方法。
（項目３０５）
前記収納するステップは、
前記縫合針の端部が前記針受器に搭載される第１の構造の第１の表面に圧入されるように、前記針受器内で第１の縫合針を回転させるステップを含み、前記第１の構造は、変形可能材料、接着材料、もしくは弾性構造のうちの１つまたはそれを上回るものを備え、前記第１の構造は、発泡体、弾性膜、もしくは接着剤のうちの１つまたはそれを上回るものを備える、項目２９５に記載の方法。
（項目３０６）
前記針受器は、前記開口部と前記第１の構造との間にオフセットゾーンを備え、前記挿入するステップ中に、前記第１の縫合針は、前記回転させるステップを行う前に前記オフセットゾーンを通して移動させられる、項目３０５に記載の方法。
（項目３０７）
前記持針器を用いて前記針受器の開口部を通して第２の縫合針を挿入するステップと、
前記縫合針の端部が前記針受器に搭載される前記第１の構造の第２の表面に圧入されるように、前記針受器内で前記第２の縫合針を回転させるステップと、をさらに含む、項目３０５に記載の方法。
（項目３０８）
前記第１の縫合針は、前記持針器の縦軸を中心として時計回り方向に回転させられ、前記第２の縫合針は、前記持針器の縦軸を中心として反時計回り方向に回転させられ、前記第１の構造は、発泡体、または接着剤、もしくは変形可能材料のうちの１つまたはそれを上回るものを備える、項目３０７に記載の方法。
（項目３０９）
前記針受器の壁を通して前記縫合針を視認するステップであって、前記壁は、透明である、ステップと、
前記針受器内に配置された縫合針を計数するステップと、をさらに含む、項目２９５に記載の方法。
（項目３１０）
前記針受器は、手術道具の近位部分上に搭載される、項目２９５に記載の方法。
（項目３１１）
針受器であって、
進入ゾーンおよび収納ゾーンを有する、下構造と、
収納ゾーンを有する、上構造と、
前記下構造と前記上構造との間に１本またはそれを上回る縫合針を受容するための針スロットと、
前記上構造の一部を通して延在する、持針器スロットと、を備える、針受器。
（項目３１２）
前記持針器スロットは、前記針スロットと垂直である、項目３１１に記載の針受器。
（項目３１３）
前記持針器スロットの長軸は、前記針スロットの長軸と垂直である、項目３１１に記載の針受器。
（項目３１４）
前記持針器スロットは、前記下構造の一部を通して延在する、項目３１１に記載の針受器。
（項目３１５）
前記針スロットに隣接する圧縮性部材をさらに備える、項目３１１に記載の針受器。
（項目３１６）
前記針スロットに隣接する複数の突出部をさらに備える、項目３１１に記載の針受器。
（項目３１７）
前記針受器の収納ゾーン内に配置された縫合針の数を検出するように構成される針計数機構をさらに備える、項目３１１に記載の針受器。
（項目３１８）
電源と、
前記電源に電気的に結合される第１の導体と、
制御回路に電気的に結合される第２の導体と、
前記制御回路に電気的に結合される視覚ディスプレイと、
をさらに備え、前記視覚ディスプレイは、前記縫合針が前記第１の伝導性要素および前記第２の伝導性要素の両方と接触させられると、前記収納ゾーン内に配置された縫合針の数を示す、項目３１７に記載の針受器。
（項目３１９）
前記針受器は、前記針受器および第２の針受器の両方と直接接触している結合部を通して、前記第２の針受器に結合される、項目３１１に記載の針受器。
（項目３２０）
前記結合部は、手術道具の近位端にわたって嵌合するように適合される道具スロットを備える、項目３１９に記載の針受器。
（項目３２１）
前記収納ゾーン内の縫合針の写真画像を取得するためのカメラをさらに備える、項目３１１に記載の針受器。
（項目３２２）
前記縫合針の写真画像を受信機に伝送するための伝送機をさらに備える、項目３２１に記載の針受器。
（項目３２３）
前記収納ゾーン内の縫合針の存在の写真画像を取得するためのカメラをさらに備える、項目３１１に記載の針受器。
（項目３２４）
前記縫合針の存在の写真画像を受信機に伝送するための伝送機をさらに備える、項目３２１に記載の針受器。
（項目３２５）
針受器であって、
開口部および内部容積を有する、筐体と、
前記筐体の内面に結合される第１の伸長部材であって、前記第１の伸長部材は、前記筐体の内面から内向きに延在する針挿入表面を有する、第１の伸長部材と、を備える、針受器。
（項目３２６）
前記第１の部材は、変形可能材料、接着材料、もしくは弾性構造のうちの１つまたはそれを上回るものを備え、前記変形可能材料は、発泡体、弾性膜、もしくは接着剤のうちの１つまたはそれを上回るものを備え、前記内部容積は、実質的に円筒形であり、前記第１の変形可能部材は、前記内面から実質的に半径方向に前記内部容積の中に延在する、項目３２５に記載の針受器。
（項目３２７）
前記筐体の内面に結合される第２の伸長部材をさらに備え、前記第１の部材および前記第２の変形可能部材は、前記筐体の内面の対向側にあり、前記第２の部材は、変形可能材料、接着材料、もしくは弾性構造のうちの１つまたはそれを上回るものを備え、前記第１の部材は、発泡体、弾性膜、もしくは接着剤のうちの１つまたはそれを上回るものを備える、項目３２５に記載の針受器。
（項目３２８）
前記開口部は、前記針の長さより長い伸長スロットを備える、項目３２５に記載の針受器。
（項目３２９）
前記筐体は、透明である、項目３２５に記載の針受器。
（項目３３０）
針との接触から外科医の肢を保護するための装置であって、前記装置は、
湾曲断面を有する障壁と、
前記障壁を前記外科医の肢に結合する結合部と、
を備え、前記障壁は、縫合パッケージもしくは針受器のうちの１つまたはそれを上回るものを支持するように構成される、装置。
（項目３３１）
障壁搭載部をさらに備え、障壁搭載基部は、縫合パッケージもしくは針受器のうちの１つまたはそれを上回るものを支持するように構成され、前記障壁は、前記障壁搭載部を支持するように構成される、項目３３０に記載の装置。
（項目３３２）
前記障壁は、滅菌障壁を備え、前記結合部は、滅菌結合部を備える、項目３３０に記載の装置。
（項目３３３）
前記障壁は、外科医の手の背側にわたって延在するように定寸される延在部を備え、前記延在部は、縫合パッケージもしくは針受器のうちの１つまたはそれを上回るものを支持する堅性を備える、項目３３０に記載の装置。
（項目３３４）
前記障壁は、外科医の手背にわたって延在するように定寸される延在部を備え、前記延在部は、前記外科医の背面橈側への手の移動を可能にする偏向を備える、項目３３０に記載の装置。
（項目３３５）
前記障壁は、外科医の手にわたって延在するように定寸される延在部を備える、項目３３０に記載の装置。
（項目３３６）
前記結合部は、第１の脚部もしくは第２の脚部のうちの１つまたはそれを上回るものを備える、項目３３０に記載の装置。
（項目３３７）
前記結合部は、第１の脚部と、第２の脚部とを備え、前記第１の脚部は、第１の方向に前記障壁の遠位部分から外向きに延在し、前記第２の脚部は、前記第１の方向に対向する第２の方向に前記障壁の遠位部分から外向きに延在する、項目３３０に記載の装置。
（項目３３８）
前記結合部は、複数の近位脚部を備える、項目３３０に記載の装置。
（項目３３９）
前記結合部は、１つまたはそれを上回るスラップブレスレットを備える、項目３３０に記載の装置。
（項目３４０）
前記結合部は、前記外科医の前腕の一部に巻き付くように構成されるストラップを備え、前記ストラップは、前記障壁の対向縁に結合される、項目３３０に記載の装置。
（項目３４１）
前記結合部は、前記障壁の遠位部分上に配置される親指ループを備え、前記親指ループは、前記外科医の親指に結合するように構成される、項目３３０に記載の装置。
（項目３４２）
前記親指ループは、可撓性材料から作製される、項目３４１に記載の装置。
（項目３４３）
前記親指ループは、前記障壁の中に形成される、項目３４１に記載の装置。
（項目３４４）
前記障壁は、変形して前記肢の周囲で湾曲するように構成される可鍛性材料を含む、項目３３０に記載の装置。
（項目３４５）
前記障壁は、前記肢の長さと平行に延在する複数の溝を備える、項目３４４に記載の装置。
（項目３４６）
前記障壁は、前記肢に対して圧縮されるように構成される内側発泡層を備える、項目３４４に記載の装置。
（項目３４７）
前記障壁は、前記障壁の掌側部分上で針受器を支持するように構成される、項目３４４に記載の装置。
（項目３４８）
前記障壁は、前記障壁の掌側もしくは橈側部分のうちの１つまたはそれを上回るもので縫合パッケージを支持するように構成される、項目３４４に記載の装置。
（項目３４９）
前記障壁の背側部分は、道具ホルダを備える、項目３４４に記載の装置。
（項目３５０）
前記障壁は、独立構成において前記湾曲断面を備える、項目３３０に記載の装置。
（項目３５１）
前記障壁は、湾曲熱成形障壁材料を含む、項目３３０に記載の装置。
（項目３５２）
方法であって、
針スロットおよび持針器スロットを有する、筐体を備える、針受器を提供するステップであって、前記持針器スロットは、前記針スロットの側面部分と交差する、ステップと、
持針器を用いて縫合針の端部分を把持するステップと、
前記針スロットに沿って前記持針器を摺動させることによって、前記針スロットに沿って前記縫合針を移動させるステップと、
前記針スロット内で前記縫合針を解放するステップと、を含む、方法。
（項目３５３）
前記持針器は、直線経路または螺旋経路で前記持針器スロットを通して移動する、項目３５２に記載の方法。
（項目３５４）
前記持針器は、円形経路で前記持針器スロットを通して移動する、項目３５２に記載の方法。
（項目３５５）
前記針スロットに隣接して圧縮部材を提供するステップと、
前記針に対して前記圧縮部材を圧縮するステップと、をさらに含む、項目３５２に記載の方法。
（項目３５６）
前記持針器の中心軸を中心として回転トルクを印加するステップをさらに含む、項目３５２に記載の方法。
（項目３５７）
前記持針器スロット内の針の端部分を視認するステップと、
前記視認するステップに基づいて、前記針受器内の針の数を判定するステップと、をさらに含む、項目３５２に記載の方法。
（項目３５８）
前記針スロットの中に留置された前記縫合針を検出するステップと、
前記針受器内の針の数を判定するステップと、
視覚ディスプレイ上で前記針受器内の針の数を表示するステップと、をさらに含む、項目３５２に記載の方法。
（項目３５９）
障壁を提供するステップと、
前記針受器を前記障壁に結合するステップと、をさらに含む、項目３５２に記載の方法。
（項目３６０）
前記障壁は、外科医の肢の上に留置されるように適合される、項目３５９に記載の方法。
（項目３６１）
前記針受器と前記障壁の結合は、磁気結合または面ファスナ結合を介する、項目３５９に記載の方法。
（項目３６２）
前記障壁から延在する１つまたはそれを上回るストラップを提供するステップをさらに含み、
前記ストラップは、前記障壁を外科医の肢に固着させるように適合される、項目３５９に記載の方法。
（項目３６３）
針受器であって、
幅および厚さを有する、断面を有する筐体と、
前記筐体の断面内に使用済みの縫合針を格納するための針スロットと、
前記筐体の厚さを通して延在する、持針器スロットであって、前記持針器スロットは、前記針スロットの側面部分と交差する、持針器スロットと、
前記上構造の一部を通して延在する、持針器スロットと、を備える、針受器。
（項目３６４）
前記持針器スロットは、前記針スロットと実質的に垂直である、項目３６３に記載の針受器。
（項目３６５）
前記持針器スロットは、円形部分または螺旋部分を有する、項目３６３に記載の針受器。
（項目３６６）
前記針受器はさらに、を備える、項目３６３に記載の針受器。
（項目３６７）
前記針受器はさらに、前記針スロットに隣接する圧縮性部材を備える、項目３６３に記載の針受器。
（項目３６８）
前記針受器はさらに、前記針受器の中の針の数を検出するための針計数機構を備える、項目３６３に記載の針受器。
（項目３６９）
前記針受器はさらに、
電源と、
針計数回路に電気的に結合される視覚ディスプレイと、
を備え、前記視覚ディスプレイは、前記針受器の中の針の数を示す、項目３６８に記載の針受器。
（項目３７０）
障壁をさらに備え、前記針受器は、前記障壁に取り付けられた、項目３６３に記載の針受器。
（項目３７１）
前記障壁に取り付けられた縫合パックを保持するための縫合パックホルダをさらに備える、項目３７０に記載の針受器。
（項目３７２）
前記障壁を外科医の肢に固着させるように適合される前記障壁の側面から延在する、１つまたはそれを上回るストラップをさらに備える、項目３７０に記載の針受器。
（項目３７３）
縫合針を取り扱うための装置であって、前記装置は、縫合パッケージおよび針受器を受容するように構成される、支持体を備える、装置。
（項目３７４）
縫合針を取り扱うための装置であって、前記装置は、
縫合パッケージおよび使用済み針ホルダを取り付けるプラットフォームを備える、装置。
（項目３７５）
縫合針を取り扱うための装置であって、前記装置は、
縫合パッケージおよび使用済み針受器を取り付けるためのプラットフォームを備える、装置。
（項目３７６）
複数の汚染された手術用縫合針を受容するための装置であって、各針は、先端と、終端と、前記先端と前記終端との間に延在する針本体とを備え、前記装置は、
上部および底部を有する、筐体と、
それを通して挿入される汚染された手術用針を受容するように構成および定寸される、前記上部と前記底部との間の少なくとも１つの開口部と、
窓と、
各先端および終端を伴って前記窓を通して計数するための配列で前記複数の汚染された手術用針を保持する、前記筐体内の非侵害性ゾーンと、を備える、装置。
（項目３７７）
汚染された手術用縫合針を受容するための装置であって、前記針は、先端と、終端と、前記先端と前記終端との間に延在する針本体とを有し、前記装置は、
上部および底部を有する、筐体と、
それを通して挿入される汚染された手術用針を受容するように構成および定寸される、前記上部と前記底部との間の少なくとも１つの開口部と、
収納された前記針先端を伴う配向で前記汚染された手術用針を保持する、前記筐体内の収納ゾーンと、を備える、装置。
（項目３７８）
前記配向は、所定の配向を備える、項目３７７に記載の装置。
（項目３７９）
前記少なくとも１つの開口部は、側方配向で前記汚染された手術用針を受容するように構成および定寸される、項目３７７に記載の装置。
（項目３８０）
前記少なくとも１つの開口部は、前記汚染された手術用針を横方向配向に受容するように構成および定寸される、項目３７７に記載の装置。
（項目３８１）
前記手術用針は、湾曲針であり、湾曲針本体の少なくとも一部は、その先端または前記終端の前に前記開口部に進入する、項目３７８に記載の装置。
（項目３８２）
前記上部および前記底部に接続され、それらの間に延在する、第１の側面と、前記上部および前記底部に接続され、それらの間に延在する、第２の側面と、第１の端部と、第２の端部とをさらに備え、前記少なくとも１つの開口部は、前記第１の端部内に配置される、項目３７７に記載の装置。
（項目３８３）
前記上部および前記底部は、形状が円形である、項目３７７に記載の装置。
（項目３８４）
前記収納ゾーンは、複数の汚染された手術用針を受容するように構成および定寸される、項目３７７に記載の装置。
（項目３８５）
前記上部の少なくとも一部は、前記収納ゾーン内に配置される汚染された針の可視化を可能にするために十分に透明である、項目３７７に記載の装置。
（項目３８６）
前記装置は、その中に含有される複数の汚染された手術用針の点検および計数を可能にする窓を含む、項目３７７に記載の装置。
（項目３８７）
前記複数の汚染された手術用針は、少なくとも５本の手術用針を備える、項目３８６に記載の装置。
（項目３８８）
前記筐体上部は、持針器の制御下で前記筐体の中への汚染された手術用針の挿入を促進する、前記持針器の先端を受容するように構成および定寸されるスロットを含む、項目３７７に記載の装置。
（項目３８９）
前記スロットは、前記針の終端を視認するようにオフセットされる、項目３８８に記載の装置。
（項目３９０）
前記スロットは、線形である、項目３８８に記載の装置。
（項目３９１）
前記スロットは、湾曲される、項目３８８に記載の装置。
（項目３９２）
前記スロットは、直線状であり、前記上部の中心に沿って配向される、項目３８８に記載の装置。
（項目３９３）
前記スロットは、直線状であり、前記上部の縦軸を外れて配向される、項目３８８に記載の装置。
（項目３９４）
複数のスロットをさらに備える、項目３８８に記載の装置。
（項目３９５）
前記スロットは、前記スロットに対する特定の配向に前記持針器を配向するように構成および定寸される、項目３８８に記載の装置。
（項目３９６）
前記収納ゾーンは、所定の配向で複数の汚染された手術用針を保持するように針保定特徴を含む、項目３７７に記載の装置。
（項目３９７）
前記上部と底部との間で前記汚染された手術用針を保持するように針保定特徴をさらに備える、項目３７７に記載の装置。
（項目３９８）
前記針保定特徴は、前記上部と底部との間に配置された発泡体を備える、項目３９７に記載の装置。
（項目３９９）
前記発泡体は、ウレタンフォームを含む、項目３９８に記載の装置。
（項目４００）
前記針保定特徴は、前記上部と底部との間に配置された面ファスナを備える、項目３９６に記載の装置。
（項目４０１）
前記針保定特徴は、前記上部および底部の一方または両方から延在する、複数の突出部を備える、項目３９７に記載の装置。
（項目４０２）
前記複数の突出部は、くぼみを備える、項目４０１に記載の装置。
（項目４０３）
前記複数の突出部は、突起を備える、項目４０１に記載の装置。
（項目４０４）
前記複数の突出部は、フィラメントを備える、項目４０１に記載の装置。
（項目４０５）
前記複数の突出部は、前記針が前記収納ゾーンの中に入ることを可能にするように、および前記少なくとも１つの開口部に向かった前記針の移動に抵抗するように、前記少なくとも１つの開口部から離れて角度を付けられる、項目４０１に記載の装置。
（項目４０６）
前記針保定特徴は、前記上部と底部との間に配置されたフラップを備える、項目４０５に記載の装置。
（項目４０７）
前記針保定特徴は、前記上部と底部との間に配置されたゲルを備える、項目３９７に記載の装置。
（項目４０８）
前記針保定特徴は、前記上部と底部との間に配置された半球小隆起を備える、項目３９７に記載の装置。
（項目４０９）
前記針保定特徴は、前記上部と底部との間に配置された角度付けられた剛毛を備える、項目３９７に記載の装置。
（項目４１０）
前記近傍手術野内で前記装置を搭載するための筐体に取り付けられた滅菌搭載部材をさらに含む、項目３７７に記載の装置。
（項目４１１）
前記上部および前記底部は、射出成形される、項目３７７に記載の装置。
（項目４１２）
前記上部および前記底部は、ともにスナップ嵌合される、項目３７７に記載の装置。
（項目４１３）
前記上部および前記底部は、ともに溶接される、項目３７７に記載の装置。
（項目４１４）
前記上部および前記底部は、ともに超音波溶接される、項目４１２に記載の装置。
（項目４１５）
前記上部および前記底部は、接着接続される、項目３７７に記載の装置。
（項目４１６）
前記上面は、透明ポリカーボネートから成る、項目３７７に記載の装置。
（項目４１７）
前記上部および前記底部は、ポリカーボネートから成る、項目３７７に記載の装置。
（項目４１８）
前記上面を通るスロットをさらに備える、項目３７７に記載の装置。
（項目４１９）
前記上部および前記底部は、可撓性である、項目３７７に記載の装置。
（項目４２０）
前記上部および前記底部は、剛性である、項目３７７に記載の装置。
（項目４２１）
前記上部および底部の一方または両方は、進入ゾーン、遷移ゾーン、および収納ゾーンを画定する、項目３７７に記載の装置。
（項目４２２）
前記進入ゾーンは、前記進入ゾーンに向かった前記針の移動を促進するように前記進入ゾーンより幅が広い、降着ゾーンを画定する、項目４２０に記載の装置。
（項目４２３）
前記進入ゾーンは、前記上面内のスロットに向かって汚染された針を保持する持針器を押勢する少なくとも１つの構造を含む、項目４２１に記載の装置。
（項目４２４）
前記構造は、前記進入ゾーンのＶ形状進入縁を含む、項目４２２に記載の装置。
（項目４２５）
前記装置を含有する滅菌パッケージをさらに備える、項目３７７に記載の装置。
（項目４２６）
前記近傍手術野内で前記装置を搭載するための筐体に取り付けられた滅菌搭載部材をさらに含む、項目３７７に記載の装置。
（項目４２７）
前記搭載装置は、外科医の前腕に搭載されるように構成および定寸される障壁を備える、項目４２５に記載の装置。
（項目４２８）
前記障壁は、手術用針および縫合糸の滅菌パッケージを支持するように構成および定寸される、項目４２５に記載の装置。
（項目４２９）
前記筐体内の非侵害性ゾーンは、前記窓の真下に各先端および終端のいずれかを伴って、前記窓を通して計数するための配列に前記複数の汚染された手術用針を保持するように構成される、項目３７７−４２８のいずれか１項に記載の装置。
（項目４３０）
装置であって、
針刺しを阻止する障壁と、手、橈側前腕、もしくは掌側前腕のうちの１つまたはそれを上回るものにわたって縫合パックもしくは針受器のうちの１つまたはそれを上回るものを安定して支持するように構成される表面とを伴って構成される、滅菌手術衣、滅菌手袋、もしくは滅菌カバーのうちの１つまたはそれを上回るものを備える、装置。
（項目４３１）
装置であって、
針刺しを阻止する障壁と、手、橈側前腕、掌側前腕、背側前腕、尺側前腕、および手首のうちの１つまたはそれを上回るものにわたって縫合パックもしくは針受器のうちの１つまたはそれを上回るものを安定して支持するように構成される表面とを伴って構成される、滅菌手術衣、滅菌手袋、または滅菌カバーのうちの１つまたはそれを上回るものを備える、装置。
（項目４３２）
装置であって、
針刺しを阻止する障壁と、近傍手術野内で縫合パックもしくは針受器のうちの１つまたはそれを上回るものを安定して支持するように構成される表面とを伴って構成される、滅菌カバーもしくは滅菌ドレープのうちの１つまたはそれを上回るものを備える、装置。
（項目４３３）
滅菌エンクロージャを備える手術用縫合キットであって、前記滅菌エンクロージャは、
滅菌縫合糸の滅菌パッケージと、
少なくとも１つの汚染された手術用縫合針を受容するための滅菌装置と、を含有する、手術用縫合キット。
（項目４３４）
滅菌エンクロージャを備える手術用縫合キットであって、前記滅菌エンクロージャは、
滅菌縫合糸の滅菌パッケージと、
少なくとも１つの汚染された手術用縫合針を受容するための滅菌装置であって、前記針は、先端と、終端と、前記先端と前記終端との間に延在する針本体とを有し、
前記装置は、
上部および底部を有する、滅菌筐体と、
それを通して挿入される汚染された手術用針を受容するように構成および定寸される、前記上部と前記底部との間の少なくとも１つの開口部と、
収納された前記針先端を伴う所定の配向で前記汚染された手術用針を保持する、前記筐体内の収納ゾーンと、
を備える、滅菌装置と、
を含有する、手術用縫合キット。
（項目４３５）
前記滅菌縫合糸のパッケージおよび前記少なくとも１つの汚染された手術用縫合針を受容するための装置を支持するように構成および定寸される、障壁をさらに備える、項目４３３に記載の手術用キット。
（項目４３６）
障壁層は、外科医の前腕に搭載されるように構成および定寸される、項目４３５に記載の手術用キット。
（項目４３７）
方法であって、
使用済み針ホルダの中に針を留置するステップを含む、方法。
（項目４３８）
装置であって、
使用済み針ホルダを備える、装置。
（項目４３９）
装置であって、
使用済みの針を収納するための手段を備える、装置。
（項目４４０）
縫合糸を取り扱うための装置であって、
滅菌筐体と、
前記筐体内に配置される、縫合糸分配部分であって、前記縫合糸分配部分は、１つまたはそれを上回る滅菌縫合針を支持するように構成される、縫合糸分配部分と、
前記筐体内に配置される、針受器部分であって、前記針受器部分は、複数の分配された縫合針を収納するように構成される、針受器部分と、を備える、装置。
（項目４４１）
装置であって、
分配された針を安定させ、非侵害性の状態にするための針受器手段を備える、装置。
（項目４４２）
装置であって、
分配された針を安定させ、非侵害性の状態にするための針受器手段と、
前記針受器手段の中に分配された針を留置するために、前記針受器手段を支持するための障壁手段と、を備える、装置。
（項目４４３）
装置であって、
分配された針を安定させ、非侵害性の状態にするための針受器手段と、
前記針受器手段の中に分配された針を留置するために、前記針受器手段を支持するための障壁手段と、を備える、装置。
（項目４４４）
滅菌手術室内で使用するための装置であって、
分配された針の針受器と、
縫合パッケージと、
前記分配された針の針受器もしくは前記縫合パッケージのうちの１つまたはそれを上回るものを支持する障壁であって、前記障壁は、前記障壁を通した針貫通を阻止し、前記分配された針の針受器、前記縫合パッケージ、および前記障壁は、外科医の近傍手術野内で配列される、障壁と、を備える、装置。
（項目４４５）
前記分配された針の針受器または前記縫合パッケージのうちの１つまたはそれを上回るものを支持し、前記障壁を通した針貫通を阻止するための障壁搭載基部と、
前記障壁搭載基部を支持するための障壁と、
を備える、項目４４４に記載の装置。
（項目４４６）
滅菌手術室内で使用するための装置であって、
５本またはそれを上回る分配された手術用針を備える、分配された針の針受器を備え、前記分配された手術用針は、前記針受器内で安定させられて非侵害性であり、前記針受器は、前記安定させられた非侵害性の分配された針を計数するための開口部、窓、もしくは透明材料のうちの１つまたはそれを上回るものを備え、前記針は、前記針受器内で計数するために配列される、装置。
（項目４４７）
分配された針を収納するための方法であって、
中立ゾーンから、５本またはそれを上回る分配された手術用針を備える分配された針の針受器を受容するステップを含み、前記分配された手術用針は、前記針受器内で安定させられて非侵害性であり、前記針受器は、前記安定させられた非侵害性の分配された針を計数するための開口部、窓、もしくは透明材料のうちの１つまたはそれを上回るものを備え、前記針は、前記針受器内で計数するために配列される、方法。
（項目４４８）
分配された針を収納するための方法であって、
５本またはそれを上回る分配された縫合針を備える分配された針の針受器を中立ゾーンから受容するステップを含み、前記分配された手術用針は、前記針受器内で安定させられて非侵害性であり、前記針受器は、前記安定させられた非侵害性の分配された針を計数するための開口部、窓、もしくは透明材料のうちの１つまたはそれを上回るものを備え、前記針は、前記針受器内で計数するために配列される、方法。
（項目４４９）
分配された針を収納するための方法であって、
５本またはそれを上回る分配された縫合針を備える分配された針の針受器を近傍手術野から受容するステップを含み、前記分配された手術用針は、前記針受器内で安定させられて非侵害性であり、前記針受器は、前記安定させられた非侵害性の分配された針を計数するための開口部、窓、もしくは透明材料のうちの１つまたはそれを上回るものを備え、前記針は、前記針受器内で計数するために配列される、方法。
（項目４５０）
方法であって、前記方法は、
持針器を用いて縫合針を針受器の開口部の中に挿入するステップであって、前記針受器は、複数の５本またはそれを上回る分配された針を格納するように構成される、ステップと、
前記持針器から前記分配された針を解放するステップであって、前記分配された針は、安定させられ、非侵害性であり、チャネル、開口部、窓、もしくは透明材料のうちの１つまたはそれを上回るものを通して、コンテナの中で計数するために４本またはそれを上回る安定させられた非侵害性の分配された針を伴って配列される、ステップと、を含む、方法。
（項目４５１）
針を取り扱うための装置であって、前記装置は、
複数の針を分配するように構成される、縫合パッケージと、
複数の分配された針を格納するように構成される、針受器と、
前記縫合パッケージもしくは前記針受器のうちの１つまたはそれを上回るものを支持するように構成される支持体と、を備える、装置。
（項目４５２）
縫合針を取り扱うための方法であって、前記方法は、
支持体上に搭載される縫合パッケージから針を分配するように、持針器を用いて前記針を把持するステップと、
前記支持体上に搭載される針受器の中に前記分配された針を留置するステップと、を含む、方法。
（項目４５３）
約６オンス（１７０グラム）以下の重量を備える、障壁と、
線形アレイの中で少なくとも約８本の針を受容して格納するように、少なくとも約５本の針の容量と、約０．５インチ（１２．５ｍｍ）以下の全体的な厚さと、約５インチ（１２７ｍｍ）以下の長さと、約２．５インチ（６３．５ｍｍ）以下の幅とを備える、針受器と、を備える、前記項目のいずれか１項に記載の装置または方法。
（項目４５４）
約６オンス（１７０グラム）以下の重量を備える、障壁と、
ａ線形アレイまたは弓形アレイの中で少なくとも約５本の針を受容して格納するように、少なくとも約５本の針の容量と、約０．５インチ（１２．５ｍｍ）以下の全体的な厚さと、約５インチ（１２７ｍｍ）以下の長さと、約２．５インチ（６３．５ｍｍ）以下の幅とを備える、針受器と、を備える、前記項目のいずれか１項に記載の装置または方法。
（項目４５５）
約６オンス（１７０グラム）以下の重量を備える、障壁と、
弓形アレイの中で少なくとも約８本の針を受容して格納するように、少なくとも約８本の針の容量と、約０．５インチ（１２．５ｍｍ）以下の全体的な厚さと、約５インチ（１２７ｍｍ）以下の長さと、約４インチ（１０１．６ｍｍ）以下の幅とを備える、針受器と、を備える、前記項目のいずれか１項に記載の装置または方法。
（項目４５６）
約６オンス（１７０グラム）以下の重量を備える、障壁と、
線形アレイの中で少なくとも約８本の針を受容して格納するように、少なくとも約８本の針の容量と、約０．５インチ（１２．５ｍｍ）以下の全体的な厚さと、約５インチ（１２７ｍｍ）以下の長さと、約４インチ（１０１．６ｍｍ）以下の幅とを備える、針受器と、を備える、前記項目のいずれか１項に記載の装置または方法。
（項目４５７）
前記針受器は、を備える順序付けられたアレイの中で複数の縫合針を受容するように定寸される伸長断面を有する、チャネルと、持針器を受容し、前記順序付けられたアレイの複数の針の間に留置するために前記チャネルに沿って前記複数のうちの縫合針を前進させるように前記チャネルの中に延在する、スロットとを備える、前記項目のいずれか１項に記載の装置、方法、または針受器。
（項目４５８）
針刺しを阻止する障壁と、手、橈側前腕、もしくは掌側前腕のうちの１つまたはそれを上回るものにわたって縫合パックもしくは針受器のうちの１つまたはそれを上回るものを安定して支持するように構成される表面とを伴って構成される、滅菌手術衣、滅菌手袋、もしくは滅菌カバーのうちの１つまたはそれを上回るものをさらに備える、前記項目のいずれか１項に記載の装置、方法、または針受器。
（項目４５９）
滅菌カバーもしくは滅菌ドレープのうちの１つまたはそれを上回るものは、針刺しを阻止する障壁と、縫合パックもしくは針受器のうちの１つまたはそれを上回るものを安定して支持するように構成される表面とを伴って構成される、前記項目のいずれか１項に記載の装置、方法、または針受器。
（項目４６０）
前記装置、方法、または針受器は、近傍手術野の中および外への複数の縫合針の通過を可能にし、それによって、外科医と外科助手との間の個々の縫合針の手渡しを排除する、前記項目のいずれか１項に記載の装置、方法、または針受器。
（項目４６１）
前記装置、方法、または針受器は、近傍手術野の中および外への複数の収納された針の通過を可能にし、それによって、外科医と外科助手との間の個々の縫合針の手渡しを排除する、前記項目のいずれか１項に記載の装置、方法、または針受器。
（項目４６２）
前記装置、方法、または針受器は、近傍手術野の中および外への複数の非侵害性針の通過を可能にし、それによって、外科医と外科助手との間の個々の縫合針の手渡しを排除する、前記項目のいずれか１項に記載の装置、方法、または針受器。
（項目４６３）
前記装置、方法、または針受器は、近傍手術野の中および外への複数の使用済み針の通過を可能にし、それによって、外科医と外科助手との間の個々の縫合針の手渡しを排除する、前記項目のいずれか１項に記載の装置、方法、または針受器。
（項目４６４）
近傍手術野からの外科医による縫合針の分配を含む、前記項目のいずれか１項に記載の装置、方法、または針受器。
（項目４６５）
近傍手術野内で１つまたはそれを上回る縫合針パッケージを搭載するための手段を備える、前記項目のいずれか１項に記載の装置、方法、または針受器。
（項目４６６）
外科医の腕の上に搭載される針抵抗障壁を備え、前記針抵抗障壁は、１つまたはそれを上回る縫合針パッケージのための搭載表面を提供するように構成される、前記項目のいずれか１項に記載の装置、方法、または針受器。
（項目４６７）
針抵抗障壁は、軽量材料を含み、外科医の腕、手首、もしくは手のうちの１つまたはそれを上回るものに共形化するように構成される、前記項目のいずれか１項に記載の装置、方法、または針受器。
（項目４６８）
針抵抗障壁は、可撓性ウェブと統合された薄い穿刺抵抗材料を含む、前記項目のいずれか１項に記載の装置、方法、または針受器。
（項目４６９）
針抵抗障壁は、ある範囲の前腕サイズに適応するために調節するように構成される、前記項目のいずれか１項に記載の装置、方法、または針受器。
（項目４７０）
針抵抗障壁は、可撓性ウェブによって接続される複数の双安定ばねを備える、前記項目のいずれか１項に記載の装置、方法、または針受器。
（項目４７１）
針抵抗障壁は、可鍛性金属材料の屈曲を制御するように、１つまたはそれを上回る溝を有する、可鍛性金属材料を含み、前記項目のいずれか１項に記載の装置、方法、または針受器。
（項目４７２）
針抵抗障壁は、１つまたはそれを上回るヒンジを有する、プラスチック材料を含む、前記項目のいずれか１項に記載の装置、方法、または針受器。
（項目４７３）
針抵抗障壁は、片手で迅速に着脱されるように構成される、前記項目のいずれか１項に記載の装置、方法、または針受器。
（項目４７４）
針抵抗障壁は、圧縮力を調節するように複数の積み重ねられた双安定ばねを備える、前記項目のいずれか１項に記載の装置、方法、または針受器。
（項目４７５）
針抵抗障壁は、前腕もしくは手首のうちの１つまたはそれを上回るもの背側上にモジュール式搭載表面を提供するように構成され、前記モジュール式搭載表面は、１つまたはそれを上回る手術道具もしくは材料を支持するように構成される、前記項目のいずれか１項に記載の装置、方法、または針受器。
（項目４７６）
縫合針パッケージは、外科医の腕、手首、もしくは手の甲のうちの１つまたはそれを上回るもの上に搭載するように構成される、前記項目のいずれか１項に記載の装置、方法、または針受器。
（項目４７７）
縫合針パッケージは、前記針受器上に搭載するように構成される、前記項目のいずれか１項に記載の装置、方法、または針受器。
（項目４７８）
針抵抗障壁は、前腕もしくは手首のうちの１つまたはそれを上回るもの掌側に保護を提供するように構成される、前記項目のいずれか１項に記載の装置、方法、または針受器。
（項目４７９）
前記針受器は、手術用ドレープに結合するように構成される、前記項目のいずれか１項に記載の装置、方法、または針受器。
（項目４８０）
前記針受器は、外科医の前腕上に搭載される針抵抗障壁に結合するように構成される、前記項目のいずれか１項に記載の装置、方法、または針受器。
（項目４８１）
前記針受器は、片手で針抵抗障壁を取り付けて、かつ取り外すように構成される、前記項目のいずれか１項に記載の装置、方法、または針受器。
（項目４８２）
前記針受器は、手術道具に取り付けられるように構成される、前記項目のいずれか１項に記載の装置、方法、または針受器。
（項目４８３）
前記針受器は、手術道具に取り付けられるように構成され、前記針受器は、手術道具の種々のハンドル幅および厚さに適応するように構成される、前記項目のいずれか１項に記載の装置、方法、または針受器。
（項目４８４）
前記針受器は、手術用衣服の中に統合された針抵抗障壁に結合するように構成される、前記項目のいずれか１項に記載の装置、方法、または針受器。
（項目４８５）
前記針受器は、手術衣、手術衣の袖、または拡張手袋の中に統合された針抵抗障壁に結合するように構成される、前記項目のいずれか１項に記載の装置、方法、または針受器。
（項目４８６）
前記針受器は、カプセル化もしくは被覆のうちの１つまたはそれを上回るものによって複数の使用済みの縫合針の先端および終端の両方からの保護を提供するように構成される、前記項目のいずれか１項に記載の装置、方法、または針受器。
（項目４８７）
前記針受器は、意図しない除去もしくは抜去のうちの１つまたはそれを上回るものを阻止するように構成される、前記項目のいずれか１項に記載の装置、方法、または針受器。
（項目４８８）
前記針受器は、最小限の手と目の精度で針が挿入されることを可能にすることによって、前記針受器の中への針挿入を促進するように構成される、前記項目のいずれか１項に記載の装置、方法、または針受器。
（項目４８９）
前記針受器は、粗大運動移動で針が挿入されることを可能にすることによって、前記針受器の中への針挿入を促進するように構成される、前記項目のいずれか１項に記載の装置、方法、または針受器。
（項目４９０）
前記針受器は、肩および肘関節の関節運動または回転のみで針が挿入されることを可能にすることによって、前記針受器の中への針挿入を促進するように構成される、前記項目のいずれか１項に記載の装置、方法、または針受器。
（項目４９１）
前記針受器は、手技中および手技後に針を計数するための手段を備える、前記項目のいずれか１項に記載の装置、方法、または針受器。
（項目４９２）
前記針受器は、前記手技中および手技後に針を照合させるための手段を備える、前記項目のいずれか１項に記載の装置、方法、または針受器。
（項目４９３）
第１の縫合パックからの第１の針のセットは、第２の縫合パックが前記近傍手術野に進入する前に照合される、前記項目のいずれか１項に記載の方法。
（項目４９４）
前記針受器は、薄型かつ軽量である、前記項目のいずれか１項に記載の装置、方法、または針受器。
（項目４９５）
前記針受器は、種々の位置において持針器の中で保持される針を受容するように構成される、前記項目のいずれか１項に記載の装置、方法、または針受器。
（項目４９６）
前記針受器は、前記持針器を磁化することを阻止するように構成される、前記項目のいずれか１項に記載の装置、方法、または針受器。
（項目４９７）
前記針受器は、少なくとも約５本の針を受容するように構成される、前記項目のいずれか１項に記載の装置、方法、または針受器。
（項目４９８）
近傍手術野内に配置されたカッタを使用する、外科医による縫合糸の切断をさらに含む、前記項目のいずれか１項に記載の装置、方法、または針受器。
（項目４９９）
カッタは、外科医の指上に搭載される、前記項目のいずれか１項に記載の装置、方法、または針受器。
（項目５００）
カッタは、針抵抗障壁上に搭載される、前記項目のいずれか１項に記載の装置、方法、または針受器。
（項目５０１）
カッタは、巻き取りスプールを伴うケーブル上に格納式鋏を備える、前記項目のいずれか１項に記載の装置、方法、または針受器。
（項目５０２）
カッタは、統合および嵌め込まれたブレードを備える、前記項目のいずれか１項に記載の装置、方法、または針受器。
（項目５０３）
カッタは、手術道具上に搭載される、前記項目のいずれか１項に記載の装置、方法、または針受器。
（項目５０４）
カッタは、針受器と統合される、前記項目のいずれか１項に記載の装置、方法、または針受器。
（項目５０５）
カッタは、外科医の手袋への意図しない損傷を防止するように構成される、前記項目のいずれか１項に記載の装置、方法、または針受器。
（項目５０６）
前記針受器は、針ホルダを保持する手が若干回内されると、使用済み針の容易な挿入を可能にするために前記掌側前腕にわたって配列され、前記針は、前記針受器の開口部の中に前記使用済み針を整合および留置するために、肩関節回転に伴う持針器を保持する腕の回転で前記針受器内に留置される、項目１９９に記載の方法。
（項目５０７）
前記針は、先端および末端を有する湾曲針であり、前記長さは、前記先端と前記末端との間の直線距離として画定される、項目２８５に記載の針受器。
（項目５０８）
前記湾曲シェルは、前記前腕の掌側表面の形状に共形化する、項目１−３７のいずれか１項に記載の障壁。
（項目５０９）
前記縦軸を中心として湾曲を伴って延在する前記湾曲シェルの湾曲は、前記前腕の掌側表面の形状に共形化する、項目１−３７のいずれか１項に記載の障壁。
（項目５１０）
前記予形成された成形障壁は、前記前腕の掌側表面の形状に共形化する、項目１−３７のいずれか１項に記載の障壁。
（項目５１１）
前記予形成された成形障壁は、前記背側縁に沿って直線である、項目１−３７のいずれか１項に記載の障壁。
（項目５１２）
前記湾曲シェルは、前記背側縁に沿って直線である、項目１−３７のいずれか１項に記載の障壁。
（項目５１３）
針受器であって、
下構造と、
前記下構造の上方の上構造であって、前記上構造と前記下構造との間に針スロットを画定し、前記針スロットは、針を収納するための収納ゾーンを備える、上構造と、
を備え、前記上構造は、前記上構造の一部を通して延在する変形可能持針器細隙を画定するように配列される第１の縁および第２の縁を備え、前記細隙は、持針器を受容するために変形する、針受器。
（項目５１４）
針受器であって、
幅および厚さを有する、断面を有する筐体と、
前記筐体の断面内に使用済みの縫合針を格納するための針スロットと、
前記上構造の一部を通して延在する、変形可能持針器スロットと、を備える、針受器。
（項目５１５）
手術用縫合針を受容するための針受器であって、前記針は、先端、終端、および前記先端と前記終端との間に延在する針本体を有し、前記装置は、
上部および底部を有する、筐体と、
それを通して手術用針を受容するように構成および定寸される、前記上部と前記底部との間の少なくとも１つの開口部と、
前記針先端が収納された配向に前記手術用針を保持するための筐体内の収納ゾーンであって、前記収納ゾーンは、前記開口部と連通する、収納ゾーンと、
前記筐体の上部を通して前記収納ゾーン内に延在する変形可能持針器細隙と、を備える、装置。
（項目５１６）
前記第１の縁は、前記第１の縁から分離し、前記持針器を受容する、項目５１３、５１４、または５１５のいずれか１項に記載の針受器。
（項目５１７）
前記変形可能持針器細隙は、第１の縁と、前記第１の縁と対向する第２の縁とを含む、項目５１３、５１４、または５１５のいずれか１項に記載の針受器。
（項目５１８）
前記第１の縁および前記第２の縁は、それらの間に延在する持針器を伴わずに、非変形独立状態で、相互に接触する、項目５１３、５１４、または５１５のいずれか１項に記載の針受器。
（項目５１９）
前記第１の縁および前記第２の縁は、非変形状態で、相互から離間され、間隙が、前記第１の縁と前記第２の縁との間に画定される、項目５１３、５１４、または５１５のいずれか１項に記載の針受器。
（項目５２０）
前記間隙は、１ｍｍ未満である、項目５１９に記載の針受器。
（項目５２１）
前記間隙は、２ｍｍ未満である、項目５１９に記載の針受器。
（項目５２２）
前記間隙は、０．５ｍｍ未満である、項目５１９に記載の針受器。
（項目５２３）
前記上構造は、堅性部分と、変形可能部分とを備え、前記変形可能部分は、前記持針器細隙に近接し、かつそれを含む、項目５１９に記載の針受器。
（項目５２４）
前記上構造は、変形可能である、項目５１９に記載の針受器。
（項目５２５）
前記下構造は、変形可能である、項目５１９に記載の針受器。
（項目５２６）
前記上構造および下構造は両方とも、変形可能である、項目５１９に記載の針受器。
（項目５２７）
前記下構造は、降着ゾーンを備え、前記上構造および下構造は、進入ゾーンと、第２のゾーンとを画定し、前記進入ゾーンは、前記降着ゾーンと前記収納ゾーンとの間に位置し、前記細隙の分離は、持針器が前記細隙に沿って前進すると、持針器に近接して増加する、項目５１９に記載の針受器。
（項目５２８）
針本体の一部は、前記持針器スロットを通して可視である、前記項目のいずれか１項に記載の装置、方法、または針受器。
（項目５２９）
針本体の中央本体部分は、前記持針器スロットを通して可視である、前記項目のいずれか１項に記載の装置、方法、または針受器。
（項目５３０）
針本体の一部は、前記上構造内の持針器スロットを通して可視である、前記項目のいずれか１項に記載の装置、方法、または針受器。
（項目５３１）
針本体の中央本体部分は、前記上構造内の持針器スロットを通して可視である前記持針器スロットを通して可視である、前記項目のいずれか１項に記載の装置、方法、または針受器。
（項目５３２）
針本体の一部は、前記下構造内の持針器スロットを通して可視である、前記項目のいずれか１項に記載の装置、方法、または針受器。
（項目５３３）
針本体の中央本体部分は、前記下構造内の持針器スロットを通して可視である前記持針器スロットを通して可視である、前記項目のいずれか１項に記載の装置、方法、または針受器。
（項目５３４）
針本体の一部は、前記下構造内の持針器スロットおよび前記上構造内の持針器スロットの両方を通して可視である、前記項目のいずれか１項に記載の装置、方法、または針受器。
（項目５３５）
針本体の中央本体部分は、前記下構造内の持針器スロットおよび前記上構造内の持針器スロットの両方を通して可視である前記持針器スロットを通して可視である、前記項目のいずれか１項に記載の装置、方法、または針受器。
（項目５３６）
前記下構造は、それを通して非均一光伝送を提供する、前記項目のいずれか１項に記載の装置、方法、または針受器。
（項目５３７）
前記下構造は、半透明材料を含む、前記項目のいずれか１項に記載の装置、方法、または針受器。
（項目５３８）
前記下構造は、半透明材料、拡散材料、粗面材料、および光散乱粒子から成る群から選択される、光散乱材料から成る、前記項目のいずれか１項に記載の装置、方法、または針受器。
（項目５３９）
前記下構造は、半不透明である、前記項目のいずれか１項に記載の装置、方法、または針受器。
（項目５４０）
前記下構造は、不透明である、前記項目のいずれか１項に記載の装置、方法、または針受器。
（項目５４１）
非均一に光を伝送するように構成される、前記項目のいずれか１項に記載の装置、方法、または針受器。
（項目５４２）
非均一に背面照明を伝送するように構成される、前記項目のいずれか１項に記載の装置、方法、または針受器。
（項目５４３）
縫合針のより均一な背面照明を提供するために、背面照明からの光を拡散させるように構成される、前記項目のいずれか１項に記載の装置、方法、または針受器。
（項目５４４）
前記下構造は、染色される、項目５３６−５４４のいずれか１項に記載の装置、方法、または針受器。
（項目５４５）
前記下構造は、着色される、項目５３６−５４４のいずれか１項に記載の装置、方法、または針受器。
（項目５４６）
前記下構造は、それを通した非均一光伝送のための粗面化された表面を提供する、前記項目のいずれか１項に記載の装置、方法、または針受器。
（項目５４７）
前記持針器スロットの縁から前記持針器スロットの中に、またはそれに沿って延在する、フラップをさらに備える、前記項目のいずれか１項に記載の装置、方法、または針受器。
（項目５４８）
前記持針器スロットの縁から前記持針器スロットの中に、またはそれに沿って延在する、フラップをさらに備える、前記項目のいずれか１項に記載の装置、方法、または針受器。
（項目５４９）
前記フラップは、変形可能である、前記項目のいずれか１項に記載の装置、方法、または針受器。
（項目５５０）
前記持針器スロットは、第１の縁と、前記第１の縁と対向する第２の縁とを含み、前記フラップは、前記第１および第２の縁のうちの１つから延在する、前記項目のいずれか１項に記載の装置、方法、または針受器。
（項目５５１）
前記持針器スロットは、第１の縁と、前記第１の縁と対向する第２の縁とを含み、前記フラップは、前記第１の縁および前記第２の縁の両方から延在する、前記項目のいずれか１項に記載の装置、方法、または針受器。
（項目５５２）
前記持針器スロットの縁から前記持針器細隙の中に延在するフラップをさらに備える、前記項目のいずれか１項に記載の装置、方法、または針受器。
（項目５５３）
前記フラップは、変形可能である、前記項目のいずれか１項に記載の装置、方法、または針受器。
（項目５５４）
前記持針器細隙は、第１の縁と、前記第１の縁と対向する第２の縁とを含み、前記フラップは、前記第１および第２の縁のうちの１つから延在する、前記項目のいずれか１項に記載の装置、方法、または針受器。
（項目５５５）
前記持針器細隙は、第１の縁と、前記第１の縁と対向する第２の縁とを含み、前記フラップは、前記第１の縁および前記第２の縁の両方から延在する、前記項目のいずれか１項に記載の装置、方法、または針受器。
（項目５５６）
前記持針器細隙の縁から前記持針器細隙の中に延在するフラップをさらに備える、前記項目のいずれか１項に記載の装置、方法、または針受器。
（項目５５７）
前記持針器スロットの縁から前記持針器スロットの中に延在する突出部をさらに備える、前記項目のいずれか１項に記載の装置、方法、または針受器。
（項目５５８）
前記持針器スロットは、第１の縁と、前記第１の縁と対向する第２の縁とを含み、前記突出部は、前記第１および第２の縁のうちの１つから延在する、前記項目のいずれか１項に記載の装置、方法、または針受器。
（項目５５９）
前記持針器スロットは、第１の縁と、前記第１の縁と対向する第２の縁とを含み、前記突出部は、前記第１の縁および前記第２の縁の両方から延在する、前記項目のいずれか１項に記載の装置、方法、または針受器。
（項目５６０）
前記持針器スロットの縁から前記持針器細隙の中に延在する突出部をさらに備える、前記項目のいずれか１項に記載の装置、方法、または針受器。
（項目５６１）
前記持針器細隙は、第１の縁と、前記第１の縁と対向する第２の縁とを含み、前記突出部は、前記第１および第２の縁のうちの１つから延在する、前記項目のいずれか１項に記載の装置、方法、または針受器。
（項目５６２）
前記持針器細隙は、第１の縁と、前記第１の縁と対向する第２の縁とを含み、前記突出部は、前記第１の縁および前記第２の縁の両方から延在する、前記項目のいずれか１項に記載の装置、方法、または針受器。
（項目５６３）
前記持針器細隙の縁から前記持針器スロットの中に延在する突出部をさらに備える、前記項目のいずれか１項に記載の装置、方法、または針受器。
（項目５６４）
前記持針器スロットに沿った前記持針器の抵抗は、前記針が持針器とともに前記スロットに沿って前進されるときの前記針スロットに沿った前記針の抵抗未満である、前記項目のいずれか１項に記載の装置、方法、または針受器。
（項目５６５）
前記持針器に対する前記針受器の抵抗は、前記針に対する前記針受器の抵抗未満である、前記項目のいずれか１項に記載の装置、方法、または針受器。
（項目５６６）
前記持針器の移動に対して前記持針器スロットによって付与される力は、前記針の移動に対して前記針スロットによって付与される力未満である、前記項目のいずれか１項に記載の装置、方法、または針受器。
（項目５６７）
前記持針器の移動に対して前記針受器によって付与される力は、前記針の移動に対して前記針受器によって付与される力未満である、前記項目のいずれか１項に記載の装置、方法、または針受器。
（項目５６８）
前記持針器スロットまたは細隙と前記持針器との間の摩擦力は、前記針スロットと前記針との間の摩擦力未満である、前記項目のいずれか１項に記載の装置、方法、または針受器。
（項目５６９）
前記針受器と前記持針器との間の摩擦力は、前記針受器と前記針との間の摩擦力未満である、前記項目のいずれか１項に記載の装置、方法、または針受器。
（項目５７０）
前記持針器スロットの幅は、前記持針器スロットの長さに沿って変動する、前記項目のいずれか１項に記載の装置、方法、または針受器。
（項目５７１）
前記持針器スロットは、第１の縁と、前記第１の縁と対向する第２の縁とを含み、前記第１の縁および前記第２の縁は、幅によって分離され、前記幅は、前記持針器スロットの長さに沿って変動する、前記項目のいずれか１項に記載の装置、方法、または針受器。
（項目５７２）
前記持針器スロットは、第１の縁と、前記第１の縁に近接する第２の縁とを含み、前記第１の縁および前記第２の縁は、幅によって分離され、前記幅は、前記持針器スロットの長さに沿って変動する、前記項目のいずれか１項に記載の装置、方法、または針受器。
（項目５７３）
前記持針器スロットは、前記持針器スロットの長さに沿って第１の端部および第２の端部を有し、前記第１の端部における前記持針器スロットの幅は、前記第２の端部における前記持針器スロットの幅を上回る、前記項目のいずれか１項に記載の装置、方法、または針受器。
（項目５７４）
前記第１の端部は、閉鎖され、前記第２の端部は、それを通して持針器を受容するために開放される、前記項目のいずれか１項に記載の装置、方法、または針受器。
（項目５７５）
前記持針器スロットは、前記持針器スロットの長さに沿って第１の端部および第２の端部を有し、前記第２の端部における前記持針器スロットの幅は、前記第１の端部における前記持針器スロットの幅を上回る、前記項目のいずれか１項に記載の装置、方法、または針受器。
（項目５７６）
前記持針器スロットの第１の端部は、閉鎖され、前記持針器スロットの第２の端部は、それを通して持針器を受容するために開放される、前記項目のいずれか１項に記載の装置、方法、または針受器。
（項目５７７）
前記持針器スロットの第１の端部は、前記収納ゾーンに近接し、前記持針器スロットの第２の端部は、前記遷移ゾーンに近接する、前記項目のいずれか１項に記載の装置、方法、または針受器。
（項目５７８）
前記持針器スロットの第１の端部は、前記持針器スロットの第２の端部より前記進入ゾーンから距離がある、前記項目のいずれか１項に記載の装置、方法、または針受器。
（項目５７９）
複数のゾーンの中への局在化を促進するために前記持針器スロットまたは前記針スロットに沿って２〜２０の触覚バンプを備え、前記触覚バンプは、前記持針器スロットに沿って移動する持針器または前記針スロットに沿って移動する針に係合するように定寸され、前記複数の触覚バンプはそれぞれ、留置されると、複数の針の集群を減少させるために、隣接するゾーン間に境界を画定する、前記項目のいずれか１項に記載の方法、装置、針受器、キット、または障壁。
（項目５８０）
個々のゾーンの中への局在化を促進するために前記持針器スロットまたは前記針スロットに沿って５〜８つの触覚バンプを備える、前記項目のいずれか１項に記載の方法、装置、針受器、キット、または障壁。
（項目５８１）
個々のゾーンの中への局在化を促進するために５つの触覚バンプを備える、前記項目のいずれか１項に記載の方法、装置、針受器、キット、または障壁。
（項目５８２）
個々のゾーンの中への局在化を促進するために３〜８つの触覚バンプを備える、前記項目のいずれか１項に記載の方法、装置、針受器、キット、または障壁。
（項目５８３）
個々のゾーンの中への局在化を促進するために３〜６つの触覚バンプを備える、前記項目のいずれか１項に記載の方法、装置、針受器、キット、または障壁。
（項目５８４）
前記触覚バンプは、対の触覚バンプである、前記項目のいずれか１項に記載の方法、装置、針受器、キット、または障壁。
（項目５８５）
前記触覚バンプは、前記針受器の長さに沿って配列される、前記項目のいずれか１項に記載の方法、装置、針受器、キット、または障壁。
（項目５８６）
前記触覚バンプは、前記持針器スロットまたは持針器細隙の長さに沿って配列される、前記項目のいずれか１項に記載の方法、装置、針受器、キット、または障壁。
（項目５８７）
前記触覚バンプは、前記針スロットの長さに沿って配列される、前記項目のいずれか１項に記載の方法、装置、針受器、キット、または障壁。
（項目５８８）
前記触覚バンプは、前記長さに沿って相互から第１の距離に配列され、前記第１の触覚バンプまたはバンプは、前記針スロットへの入口から第２の距離にあり、前記第２の距離は、前記第１の距離を上回る、前記項目のいずれか１項に記載の方法、装置、針受器、キット、または障壁。
（項目５８９）
前記針受器は、障壁搭載基部上に搭載されるように構成され、
前記障壁搭載基部は、障壁上に搭載されるように構成される、
前記項目のいずれか１項に記載の装置、方法、または針受器。
（項目５９０）
前記障壁搭載基部に搭載される縫合パックをさらに備える、項目５８９に記載の装置、方法、または針受器。
（項目５９１）
前記針受器に搭載される縫合パックをさらに備える、項目５８９に記載の装置、方法、または針受器。
（項目５９２）
前記針受器および前記障壁搭載基部に搭載される縫合パックをさらに備える、項目５８９に記載の装置、方法、または針受器。
（項目５９３）
前記縫合パックは、障壁搭載基部に搭載され、
前記障壁搭載基部は、障壁に搭載される、
前記項目のいずれか１項に記載の装置、方法、または針受器。
（項目５９４）
前記障壁搭載基部に搭載される針受器をさらに備える、項目５９３に記載の装置、方法、または針受器。
（項目５９５）
前記縫合パックに搭載される針受器をさらに備える、項目５９３に記載の装置、方法、または針受器。
（項目５９６）
前記縫合パックおよび前記障壁搭載基部に搭載される針受器をさらに備える、項目５９３に記載の装置、方法、または針受器。
（項目５９７）
前記針受器と前記搭載基部の接着力は、前記搭載基部と前記障壁の接着力を上回る、項目５８９−５９６のいずれか１項に記載の装置、方法、または針受器。
（項目５９８）
前記搭載基部と前記障壁の接着力は、前記障壁からの前記搭載基部の手動除去を可能にするために十分に弱い、項目５８９−５９７のいずれか１項に記載の装置、方法、または針受器。
（項目５９９）
前記針受器と前記搭載基部の接着力は、前記搭載基部からの前記針受器の除去を可能にするために十分に弱い、項目５８９−５９８のいずれか１項に記載の装置、方法、または針受器。
（項目６００）
前記縫合パックと前記搭載基部の接着力は、前記搭載基部と前記障壁の接着力を上回る、項目５８９−５９８のいずれか１項に記載の装置、方法、または針受器。
（項目６０１）
前記縫合パックと前記針受器の接着力は、前記搭載基部と前記障壁の接着力を上回る、項目５８９−６００のいずれか１項に記載の装置、方法、または針受器。
（項目６０２）
方法であって、前記方法は、
前記針の先端が前記針の平行移動の方向から離れて指向される状態で、針を針受器に対して配向するステップと、
針受器の進入ゾーンへの平行移動の方向において、前記針受器の収納ゾーンの中に針を移動させるステップと、を含む、方法。
（項目６０３）
針受器の中に針を挿入する方法であって、前記方法は、
前記針を前腕に結合される前記針受器の進入ゾーンに留置するステップであって、前記針は、前記針の先端が前記針受器の中への前記針の平行移動の方向から離れて指向される状態で、針受器に対して配向される、ステップと、
前記平行移動の方向に前記針受器に沿って前記針を移動させ、前記針を前記針受器の筐体内に収納するステップと、を含む、方法。
（項目６０４）
外科医による縫合針の収納のための方法であって、前記方法は、
前記針の先端が前記針の平行移動の方向から離れて指向される状態で、縫合針を針受器に対して配向するステップと、
前記針を前記平行移動の方向に移動させることによって、持針器で針受器の開口部の中に前記縫合針を挿入するステップと、
前記針受器の内側で前記縫合針を収納するステップと、
前記持針器から前記縫合針を解放するステップと、を含む、方法。
（項目６０５）
前記針の本体は、前記針先端を前記平行移動の方向に導く、項目６０２−６０４のいずれか１項に記載の方法。
（項目６０６）
前記針受器は、前記針先端が前記針本体を前記平行移動の方向に導くとき、前記針スロットの中への前記針の平行移動を阻止する、項目６０２−６０４のいずれか１項に記載の方法。
（項目６０７）
前記針を前記針スロット内で平行移動させるための平行移動力は、前記本体が前記先端を導いて前記針を平行移動させるときと比較して、前記先端が前記本体を導いて前記針を平行移動させるときに２倍となる、項目６０２−６０４のいずれか１項に記載の方法。
（項目６０８）
前記針を前記針スロット内で平行移動させるための平行移動力は、前記本体が前記先端を導いて前記針を平行移動させるときと比較して、前記先端が前記本体を導いて前記針を平行移動させるときにより大きくなる、項目６０２−６０４のいずれか１項に記載の方法。
（項目６０９）
前記針を前記針スロット内で平行移動させるための平行移動力は、前記本体が前記先端を導いて前記針を平行移動させるときと比較して、前記先端が前記本体を導いて前記針を平行移動させるときにより大きくなる、項目６０２−６０４のいずれか１項に記載の方法。
（項目６１０）
前記平行移動の方向は、前記針受器の進入ゾーンと前記針受器の収納ゾーンとの間に延在する、項目６０２−６０４のいずれか１項に記載の方法。
（項目６１１）
前記平行移動の方向は、針受器の縦軸に沿ってある、項目６０２−６０４のいずれか１項に記載の方法。
（項目６１２）
前記平行移動の方向は、持針器スロットの長さに沿ってある、項目６０２−６０４のいずれか１項に記載の方法。
（項目６１３）
前記平行移動の方向は、持針器細隙の長さに沿ってある、項目６０２−６０４のいずれか１項に記載の方法。
（項目６１４）
前記平行移動の方向は、ユーザの前腕の長さに沿ってある、項目６０２−６０４のいずれか１項に記載の方法。
（項目６１５）
前記平行移動の方向は、ユーザの腕の手首と肘との間に延在する、項目６０２−６０４のいずれか１項に記載の方法。
（項目６１６）
前記平行移動の方向は、持針器スロットまたは細隙の長さと平行である、項目６０２−６０４のいずれか１項に記載の方法。
（項目６１７）
前記平行移動の方向は、ユーザの肘に向かう方向にユーザの手首に近接して開始する、項目６０２−６１６のいずれか１項に記載の方法。
（項目６１８）
前記平行移動の方向は、収納ゾーンに向かってある、項目６０２−６１６のいずれか１項に記載の方法。
（項目６１９）
前記平行移動の方向は、持針器スロットまたは細隙の閉鎖端に向かってある、項目６０２−６１６のいずれか１項に記載の方法。
（項目６２０）
前記平行移動の方向は、持針器スロットまたは細隙の近位端に向かってある、項目６０２−６１６のいずれか１項に記載の方法。
（項目６２１）
前記平行移動の方向は、降着ゾーンから離れてある、項目６０２−６１６のいずれか１項に記載の方法。
（項目６２２）
前記平行移動の方向は、進入ゾーンから離れてある、項目６０２−６１６のいずれか１項に記載の方法。
（項目６２３）
前記平行移動の方向は、遷移ゾーンから離れてある、項目６０２−６１６のいずれか１項に記載の方法。
（項目６２４）
針受器であって、前記針受器は、
可撓性上構造と、
可撓性下構造であって、前記可撓性上構造および前記可撓性下構造は、相互に結合され、針を受容するための針スロットを画定する、可撓性下構造と、
上可撓性シート材料の周縁から延在する前記可撓性上構造を通して形成される、持針器受容スロットと、を備える、針受器。
（項目６２５）
針受器であって、前記針受器は、
第１の端部と第２の端部との間に延在し、折目において折重され、上構造および下構造を形成する、シート材料であって、前記上構造および下構造は、狭小外形構成において略平行平面表面を有する、シート材料と、
前記上構造と前記下構造との間に画定された針スロットと、
前記上構造を通して形成され、前記第１の端部から前記折目に向かって延在する、持針器受容スロットと、を備える、針受器。
（項目６２６）
針受器であって、前記針受器は、
上構造を形成する第１の可撓性シート材料と、
下構造を形成する第２の可撓性シート材料であって、前記第１の可撓性シート材料および前記第２の可撓性シート材料は、その個別の周縁において相互に結合される、第２の可撓性シート材料と、
前記第１の可撓性シート材料を通して形成され、前記第１の可撓性シート材料の周縁から延在する、スロットと、を備える、針受器。
（項目６２７）
前記針受器は、剛性構造に搭載される、項目６２４−６２６のいずれか１項に記載の針受器。
（項目６２８）
前記上構造および下構造は、前記針先端に印加される少なくとも１ポンド力を伴う針の鋭利先端で穿刺に抵抗するために十分な強度を備え、随意に、前記針は、テーパ状縫合針および切断式縫合針から成る群から選択され、随意に、前記力は、少なくとも２ポンド、少なくとも３ポンド、および少なくとも４ポンドから成る群から選択される、項目６２４−６２６のいずれか１項に記載の針受器。
（項目６２９）
前記上構造および下構造は、針の先端に印加される少なくとも０．３ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ
ＧＳ−２１針である、項目６２４−６２６のいずれか１項に記載の針受器。
（項目６３０）
前記上構造および下構造は、針の先端に印加される少なくとも０．３ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ
ＣＶ−２３針である、項目６２４−６２６のいずれか１項に記載の針受器。
（項目６３１）
前記上構造および下構造は、針の先端に印加される少なくとも０．３ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ細型半円形針である、項目６２４−６２６のいずれか１項に記載の針受器。
（項目６３２）
前記上構造および下構造は、針の先端に印加される少なくとも０．３ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ中型半円形針である、項目６２４−６２６のいずれか１項に記載の針受器。
（項目６３３）
前記上構造および下構造は、針の先端に印加される少なくとも０．５ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ
ＧＳ−２１針である、項目６２４−６２６のいずれか１項に記載の針受器。
（項目６３４）
前記上構造および下構造は、針の先端に印加される少なくとも０．５ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ
ＣＶ−２３針である、項目６２４−６２６のいずれか１項に記載の針受器。
（項目６３５）
前記上構造および下構造は、針の先端に印加される少なくとも０．５ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ細型半円形針である、項目６２４−６２６のいずれか１項に記載の針受器。
（項目６３６）
前記上構造および下構造は、針の先端に印加される少なくとも１ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ中型半円形針である、項目６２４−６２６のいずれか１項に記載の針受器。
（項目６３７）
前記上構造および下構造は、針の先端に印加される少なくとも１ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ
ＧＳ−２１針である、項目６２４−６２６のいずれか１項に記載の針受器。
（項目６３８）
前記上構造および下構造は、針の先端に印加される少なくとも１ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ
ＣＶ−２３針である、項目６２４−６２６のいずれか１項に記載の針受器。
（項目６３９）
前記上構造および下構造は、針の先端に印加される少なくとも１ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ細型半円形針である、項目６２４−６２６のいずれか１項に記載の針受器。
（項目６４０）
前記上構造および下構造は、針の先端に印加される少なくとも１ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ中型半円形針である、項目６２４−６２６のいずれか１項に記載の針受器。
（項目６４１）
前記上構造および下構造は、針の先端に印加される少なくとも３ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ
ＧＳ−２１針である、項目６２４−６２６のいずれか１項に記載の針受器。
（項目６４２）
前記上構造および下構造は、針の先端に印加される少なくとも３ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ
ＣＶ−２３針である、項目６２４−６２６のいずれか１項に記載の針受器。
（項目６４３）
前記上構造および下構造は、針の先端に印加される少なくとも３ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ細型半円形針である、項目６２４−６２６のいずれか１項に記載の針受器。
（項目６４４）
前記上構造および下構造は、針の先端に印加される少なくとも３ポンド力を伴う針の鋭利先端で穿刺に抵抗するために十分な強度を備え、前記針は、Ｕｎｉｔｅｄ
Ｓｔａｔｅｓ
Ｓｕｒｇｉｃａｌ
Ｃｏｒｐｏｒａｔｉｏｎ中型半円形針である、項目６２４−６２６のいずれか１項に記載の針受器。
（項目６４５）
前記上構造および下構造は、滅菌パッケージの内側への留置のための狭小外形構成における第１の距離から前記滅菌パッケージの外側の拡張外形構成における第２の距離に、前記上構造と前記下構造との間の前記針スロットの距離を増加させるためにともに撓曲するように構成され、前記第２の距離は、前記針を受容するために、前記第１の距離を上回る、項目６２４−６２６のいずれか１項に記載の針受器。
（項目６４６）
前記第１の構造は、前記狭小外形構成において前記第２の構造に接触する、項目６４５に記載の針受器。
（項目６４７）
前記第１の構造は、前記狭小外形構成において前記第２の構造に接触する、項目６４５に記載の針受器。
（項目６４８）
前記第１の構造および前記第２の構造は、前記第１の構造と前記第２の構造との間に前記針を保持するために十分な厚さを備える、項目６４５に記載の針受器。
（項目６４９）
前記第１の構造および前記第２の構造は、前記第１の構造と前記第２の構造との間の収納ゾーン内に前記針を収納するるために十分な厚さを備える、項目６４５に記載の針受器。
（項目６５０）
前記上構造および下構造は、前記狭小外形構成において実質的に平坦であって、前記上構造および下構造は、前記拡張外形構成において湾曲される、項目６４５に記載の針受器。
（項目６５１）
前記針受器は、長さ、幅、および高さを備え、前記長さは、前記幅を上回り、前記幅は、前記高さを上回り、前記狭小外形構成における厚さは、５ｍｍ以下、４ｍｍ以下、３ｍｍ以下、２ｍｍ以下、１ｍｍ以下、および０．５ｍｍ以下から成る群から選択され、前記第１の距離と前記第２の距離との間の差異は、３ｍｍ以下、２ｍｍ以下、１ｍｍ以下、および０．５ｍｍ以下から成る群から選択される、項目６４５に記載の針受器。
（項目６５２）
前記上構造および前記下構造はそれぞれ、０．１ｍｍ〜２．５ｍｍ、０．２ｍｍ〜２ｍｍ、０．２５ｍｍ〜２ｍｍおよび０．５ｍｍ〜１ｍｍから成る群から選択される範囲内の厚さを備える、項目６４５に記載の針受器。
（項目６５３）
前記針受器は、第１の側面と、前記第１の側面と対向する第２の側面とを備え、前記上構造は、前記第１の側面に沿った第１の結合領域および前記第２の側面に沿った第２の結合領域において前記下構造に接続され、前記針スロットは、前記第１の結合領域と前記第２の結合領域との間に延在し、前記第１の結合領域と前記第２の結合領域との間の距離は、前記針スロットの幅を画定する、項目６２４−６２６のいずれか１項に記載の針受器。
（項目６５４）
前記第１の表面は、前記針スロットの端部を画定する第３の結合領域に沿った前記第２の結合表面に接続される、項目６５３に記載の針受器。
（項目６５５）
前記針受器は、第１の開放端と、前記第２の開放端と対向する第２の開放端とを備え、前記針スロットは、前記第１の開放端と前記第２の開放端との間に延在し、前記第１の構造および前記第２の構造は、前記第１の領域と前記第２の領域との間の針スロット内に針を収納するために十分な堅性を備える、項目６５３に記載の針受器。
（項目６５６）
前記針受器を支持体に接着するための前記下構造の下面に沿った材料のストリップをさらに備え、前記材料のストリップは、前記針スロットの長軸とともに長軸に沿って配向され、前記距離が前記第１の距離から前記第２の距離に増加すると、前記下構造が前記上構造とともに撓曲することを可能にする、項目６５３に記載の針受器。
（項目６５７）
滅菌キットであって、前記滅菌キットは、
滅菌障壁を備える、滅菌パッケージと、
針パッケージ内に含有される複数の針と、
項目６２４−６２６のいずれか１項に記載の針受器と、を備え、
前記複数の針のそれぞれの先端間距離は、前記針スロットの幅未満であって、
前記針パッケージおよび前記針受器内に含有される複数の針は、滅菌されており、前記滅菌キットの滅菌障壁内に含有される、滅菌キット。
（項目６５８）
前記複数の針のそれぞれの先端間距離は、前記針スロットの幅の７５％〜１００％、前記針スロットの幅の８０％〜９９％、前記針スロットの幅の８５％〜９８％、および前記針スロットの幅の９０％〜９７％から成る群から選択される範囲内である、項目６５７に記載の滅菌キット。
（項目６５９）
前記複数の針のそれぞれの先端間距離は、前記拡張構成において前記針スロットの幅のあるパーセンテージ内であり、前記パーセンテージは、前記針スロットの第２の幅の７５％〜１００％、前記針スロットの第２の幅の８０％〜９９％、前記針スロットの第２の幅の８５％〜９８％、および前記針スロットの第２の幅の９０％〜９７％から成る群から選択される範囲内であり、随意に、前記針スロットは、長さ、幅、および高さを備え、前記長さは、前記幅を上回り、前記幅は、前記高さを上回る、項目６５７に記載の滅菌キット。
（項目６６０）
前記上構造および前記下構造はそれぞれ、持針器を受容するための持針器スロットを備える、項目６２４−６２６のいずれか１項に記載の針受器。
（項目６６１）
前記上構造および下構造は、その個別の周縁において相互に接続される、項目６２４−６２６のいずれか１項に記載の針受器。
（項目６６２）
前記上構造および下構造は、その個別の周縁において相互に平行である、項目６２４−６２６のいずれか１項に記載の針受器。
（項目６６３）
前記上構造および下構造は、その個別の周縁において相互に接着される、項目６２４−６６２のいずれか１項に記載の針受器。
（項目６６４）
前記上構造は、前記針受器の収納ゾーンおよび遷移ゾーンの上部分を形成する、項目６２４−６６３のいずれか１項に記載の針受器。
（項目６６５）
前記下構造は、前記針受器の収納ゾーンおよび遷移ゾーンの下部分を形成する、項目６２４−６６４のいずれか１項に記載の針受器。
（項目６６６）
前記下構造は、前記針受器の降着ゾーンを形成する、項目６２４−６６５のいずれか１項に記載の針受器。
（項目６６７）
前記針受器の降着ゾーンを形成する、前記下構造は、前記収納ゾーンから離れて前記遷移ゾーンから延在する、項目６２４−６６６のいずれか１項に記載の針受器。
（項目６６８）
前記針受器は、第１の端部と第２の端部との間に延在する長さを有し、前記進入ゾーンは、前記第１の端部を含み、前記収納ゾーンは、前記第２の端部を含み、前記遷移ゾーンは、前記第１の端部と前記第２の端部との間にある、項目６２４−６６７のいずれか１項に記載の針受器。
（項目６６９）
前記進入ゾーンの下構造は、針および持針器先端を受容するように構成される降着ゾーンである、項目６２４−６６７のいずれか１項に記載の針受器。
（項目６７０）
前記持針器スロットは、前記遷移ゾーン内の上構造の縁から前記収納ゾーンの中に延在し、前記上構造および前記縁を前記遷移ゾーン内で別個の第１および第２の部分にパーティション化する、項目６２４−６６９のいずれか１項に記載の針受器。
（項目６７１）
前記遷移ゾーン内の上構造の第１および第２の部分は、前記下構造に向かって変形され、前記上構造を前記下構造から変位させ、開口部をそれらの間の前記針スロット内に形成する、項目６２５−６７０のいずれか１項に記載の針受器。
（項目６７２）
前記遷移ゾーン内の上構造の第１および第２の部分は、前記下構造に向かって折重され、前記上構造を前記下構造から変位させ、開口部をそれらの間の前記針スロット内に形成する、項目６２５−６７１のいずれか１項に記載の針受器。
（項目６７３）
前記遷移ゾーン内の上構造の第１および第２の部分は、前記下構造から離れて折重され、前記上構造を前記下構造から変位させ、開口部をそれらの間の前記針スロット内に形成する、項目６２５−６７１のいずれか１項に記載の針受器。
（項目６７４）
前記第１および第２のシート材料は、可撓性である、項目６２５−６７２のいずれか１項に記載の針受器。
（項目６７５）
前記第１および第２のシート材料は、ＡＢＳ、ポリカーボネート、ポリエチレン、ポリプロピレン、熱成形可能プラスチック、およびＰＥＴＧから成る群から選定される、項目６２５−６７４のいずれか１項に記載の針受器。
（項目６７６）
項目６２５−６７２のいずれか１項に記載の針受器と、少なくとも１本の針とを備える、キット。
（項目６７７）
前記針は、長さを有し、前記針スロットは、幅を有し、前記針の長さは、実質的に類似するが、前記針スロットの幅未満である、項目６７６に記載のキット。
（項目６７８）
前記針は、長さを有し、前記針受器は、幅を有し、前記針の長さは、実質的に類似するが、前記針受器の幅未満である、項目６７６に記載のキット。
（項目６７９）
前記針の長さおよび前記針スロットの幅は、前記針が前記針スロット内にあるとき、前記針が前記針スロットを変形させるようなものである、項目６７６−６７８のいずれか１項に記載のキット。
（項目６８０）
前記針の長さおよび前記針スロットの幅は、前記針が前記針スロット内にあるとき、前記針受器の上構造および下構造が圧縮力を前記針に印加するようなものである、項目６７６−６７９のいずれか１項に記載のキット。
（項目６８１）
前記針の長さおよび前記針スロットの幅は、前記針が前記針スロット内にあるとき、前記針が前記上構造および前記下構造を変形させるようなものである、項目６７６−６８０のいずれか１項に記載のキット。
（項目６８２）
前記針は、先端および末端を有する湾曲針であり、前記長さは、前記先端と前記末端との間の直線距離として画定される、項目６７６−６８１のいずれか１項に記載のキット。
（項目６８３）
前記針の長さは、前記針の２つの端部間の直線距離として画定される、項目６７６−６８１のいずれか１項に記載のキット。
（項目６８４）
下構造は、前記針スロットを閉鎖するために前記上構造にわたって折重可能であるフラップを含む、項目６２５−６８３のいずれか１項に記載のキットまたは針受器。
（項目６８５）
下構造は、前記針スロットをシールするために前記上構造にわたって折重可能であるフラップを含む、項目６２５−６８４のいずれか１項に記載のキットまたは針受器。
（項目６８６）
前記フラップは、前記収納ゾーンから離れて前記遷移ゾーンを越えて延在する前記下構造の少なくとも一部を含む、項目６２５−６８５のいずれか１項に記載のキットまたは針受器。
（項目６８７）
前記フラップは、前記下構造の進入ゾーンの少なくとも一部を含む、項目６２５−６８６のいずれか１項に記載のキットまたは針受器。
（項目６８８）
前記フラップ上の接着剤をさらに備える、項目６２５−６８７のいずれか１項に記載のキットまたは針受器。
（項目６８９）
前記フラップ上の接着剤は、前記針スロットを閉鎖するために前記上構造に接着する、項目６２５−６８８のいずれか１項に記載のキットまたは針受器。
（項目６９０）
前記フラップ上の接着剤は、前記針スロットをシールするために前記上構造に接着する、項目６２５−６８９のいずれか１項に記載のキットまたは針受器。
（項目６９１）
前記針受器を受容するように構成される堅性構造をさらに備える、前記項目のいずれか１項に記載の装置、方法、針受器、またはキット。
（項目６９２）
前記堅性構造は、前記針受器を受容するように成形される開放側面を含む、項目６９１に記載の装置、方法、針受器、またはキット。
（項目６９３）
前記堅性構造は、前記針受器が前記堅性構造内にあるとき、前記針受器の持針器スロットと整合する持針器スロットを含む、項目６９１−６９２のいずれか１項に記載の装置、方法、針受器、またはキット。
（項目６９４）
前記堅性構造は、六面体の形状である、項目６９１−６９３に記載の装置、方法、針受器、またはキット。
（項目６９５）
前記堅性構造は、下構造に結合される上構造を含み、前記堅性構造は、前記針受器を前記上構造と前記下構造との間に受容および保持するように構成される、項目６９１−６９４に記載の装置、方法、針受器、またはキット。
（項目６９６）
前記堅性構造は、下構造に結合される上構造を含み、前記上構造および下構造は、前記針受器を前記堅性構造に保持するために締付力を前記針受器に付与するように構成される、項目６９１−６９５に記載の装置、方法、針受器、またはキット。
（項目６９７）
前記堅性構造は、上構造と、下構造と、壁構造とを含み、前記壁構造は、前記上構造および前記下構造をともに結合する、項目６９１に記載の装置、方法、針受器、またはキット。
（項目６９８）
前記堅性構造は、前記針受器を受容するように構成される容器である、項目６９１−６９７に記載の装置、方法、針受器、またはキット。
（項目６９９）
前記堅性構造は、
第１および第２の端部を有する、第１の堅性部材と、
前記第１の堅性部材の第１の端部から延在する、第２の堅性部材と、
前記第１の堅性の第２の端部から延在し、前記第２の堅性部材と同一平面にある、第３の堅性部材と、を含み、
前記堅性構造は、前記項目のいずれか１項に記載の針受器を前記第２の堅性部材と第３の堅性部材との間に受容するように構成される、項目６９１に記載の装置、方法、針受器、またはキット。
（項目７００）
前記第１の部材に近接する端部における前記第２の部材と第３の部材との間の距離は、前記針受器が前記堅性構造内に受容されると、前記第２および第３の部材が力を前記針受器に付与し、前記針受器を変形させ、前記針受器の針スロットの進入口を拡大するように、遠位端における前記第２の部材と第３の部材との間の距離未満である、項目６９９に記載の装置、方法、針受器、またはキット。
（項目７０１）
進入ゾーンにおける前記針受器の幅は、前記針受器が前記堅性構造内に受容されると、前記第２および第３の部材が力を前記針受器に付与し、前記針受器を変形させ、前記針受器の針スロットの進入口を拡大するように、収納ゾーンにおける前記針受器の幅を上回る、項目６９９に記載の装置、方法、針受器、またはキット。
（項目７０２）
針受器であって、前記針受器は、
上構造を形成する堅性材料の第１のシートと、
下構造を形成する堅性材料の第２のシートであって、前記第１の堅性シート材料および前記第２の堅性シート材料は、その個別の周縁において相互に結合される、第２のシートと、
前記第２の堅性シート材料を通して形成され、前記第２の堅性シート材料の周縁から延在する、スロットと、を備える、針受器。
（項目７０３）
前記上構造および下構造は、その個別の周縁において相互に平行である、項目７０２のいずれか１項に記載の針受器。
（項目７０４）
前記上構造および下構造は、その個別の周縁において相互に接着される、項目７０２−７０３のいずれか１項に記載の針受器。
（項目７０５）
前記上構造および下構造は、前記下構造の周縁から前記上構造の周縁まで延在する壁を介して、相互に結合される、項目７０２−７０４のいずれか１項に記載の針受器。
（項目７０６）
側方開口部は、それを通して針を受容するように構成される、項目７０２−７０５のいずれか１項に記載の針受器。
（項目７０７）
前記上構造は、前記針受器の収納ゾーンおよび遷移ゾーンの上部分を形成する、項目７０２−７０６のいずれか１項に記載の針受器。
（項目７０８）
前記下構造は、前記針受器の収納ゾーンおよび遷移ゾーンの下部分を形成する、項目７０２−７０７のいずれか１項に記載の針受器。
（項目７０９）
前記下構造は、前記針受器の降着ゾーンを形成する、項目７０２−７０８のいずれか１項に記載の針受器。
（項目７１０）
前記針受器の降着ゾーンを形成する前記下構造は、前記収納ゾーンから離れて前記遷移ゾーンから延在する、項目７０２−７０９のいずれか１項に記載の針受器。
（項目７１１）
前記針受器は、第１の端部と第２の端部との間に延在する長さを有し、前記進入ゾーンは、前記第１の端部を含み、前記収納ゾーンは、前記第２の端部を含み、前記遷移ゾーンは、前記第１の端部と前記第２の端部との間にある、項目７０２−７１０のいずれか１項に記載の針受器。
（項目７１２）
前記進入ゾーンの下構造は、針および持針器先端を受容するように構成される降着ゾーンである、項目７０２−７１１のいずれか１項に記載の針受器。
（項目７１３）
前記持針器スロットは、前記遷移ゾーン内の上構造の縁から前記収納ゾーンの中に延在し、前記上構造および前記縁を前記遷移ゾーン内で別個の第１および第２の部分にパーティション化する、項目７０２−７１２のいずれか１項に記載の針受器。
（項目７１４）
前記遷移ゾーン内の上構造の第１および第２の部分は、前記下構造に向かって変形され、前記上構造を前記下構造から変位させ、開口部をそれらの間の前記針スロット内に形成する、項目７０２−７１３のいずれか１項に記載の針受器。
（項目７１５）
前記遷移ゾーン内の上構造の第１および第２の部分は、前記下構造に向かって折重され、前記上構造を前記下構造から変位させ、開口部をそれらの間の前記針スロット内に形成する、項目７０２−７１４のいずれか１項に記載の針受器。
（項目７１６）
下構造は、前記針スロットを閉鎖するために前記上構造にわたって折重可能であるフラップを含む、項目７０２−７１５のいずれか１項に記載の針受器。
（項目７１７）
下構造は、前記針スロットをシールするために前記上構造にわたって折重可能であるフラップを含む、項目７０２−７１６のいずれか１項に記載の針受器。
（項目７１８）
前記フラップは、前記収納ゾーンから離れて前記遷移ゾーンを越えて延在する前記下構造の少なくとも一部を含む、項目７０２−７１７のいずれか１項に記載の針受器。
（項目７１９）
前記フラップは、前記下構造の進入ゾーンの少なくとも一部を含む、項目７０２−７１８のいずれか１項に記載の針受器。
（項目７２０）
前記フラップ上の接着剤をさらに備える、項目７０２−７１９のいずれか１項に記載の針受器。
（項目７２１）
前記フラップ上の接着剤は、前記針スロットを閉鎖するために前記上構造に接着する、項目７０２−７２０のいずれか１項に記載の針受器。
（項目７２２）
前記フラップ上の接着剤は、前記針スロットをシールするために前記上構造に接着する、項目７０２−７２１のいずれか１項のいずれか１項に記載のキットまたは針受器。
（項目７２３）
１本またはそれを上回る針保定具を前記針スロット内にさらに備える、前記項目のいずれか１項に記載のキットまたは針受器。
（項目７２４）
前記針保定具は、少なくとも１つの磁石を含む、項目７２３に記載のキットまたは針受器。
（項目７２５）
前記少なくとも１つの磁石は、前記上構造および前記下構造の一方または両方に結合される、項目７２４に記載のキットまたは針受器。
（項目７２６）
前記少なくとも１つの磁石は、前記上構造および前記下構造の一方または両方内にある、項目７２４に記載のキットまたは針受器。
（項目７２７）
前記針保定具は、少なくとも１つの接着タブを含む、項目７２３に記載のキットまたは針受器。
（項目７２８）
前記少なくとも１つの接着タブは、前記上構造および前記下構造の一方または両方に結合される、項目７２７に記載のキットまたは針受器。
（項目７２９）
前記少なくとも１つの接着タブは、前記上構造および前記下構造の一方または両方から前記針スロットの中に延在する、項目７２７に記載のキットまたは針受器。
（項目７３０）
前記少なくとも１つの接着タブは、対向する第１および第２の側面を含み、前記第１の側面は、前記針スロット内の開口部に面し、非接着性であり、前記第２の側面は、前記針スロット内の開口部から離れて面し、接着性である、項目７２７−７２９のいずれか１項に記載のキットまたは針受器。
（項目７３１）
前記針保定具は、応従性材料を前記針スロット内に含む、項目７２３に記載のキットまたは針受器。
（項目７３２）
前記応従性材料は、前記下構造から前記上構造に向かって延在し、前記針スロット内の針を通して保定力を前記上構造に印加し、前記針を前記スロット内に保定する、第１の発泡体構造を含む、項目７３１に記載のキットまたは針受器。
（項目７３３）
前記応従性材料は、前記上構造から前記下構造に向かって延在し、前記針スロット内の針を通して保定力を前記下構造に印加し、前記針を前記針スロット内に保定する、第１の発泡体構造を含む、項目７３１に記載のキットまたは針受器。
（項目７３４）
前記応従性材料は、前記上構造から前記下構造に向かって延在する、第１の発泡体構造と、前記下構造から前記上構造に向かって延在する、第２の発泡体構造とを含み、
間隙が、前記第１の発泡体構造と前記第２の発泡体構造との間に画定され、
前記第１の発泡体構造および前記第２の発泡体構造は、前記間隙内の針を通して力を相互に付与し、前記針を前記針スロット内に保定する、項目７３１に記載のキットまたは針受器。
（項目７３５）
前記針保定具は、針が、前記針スロットに進入し、前記針スロットから退出する針に抵抗することを可能にする、機械仕切を含む、項目７２３に記載のキットまたは針受器。
（項目７３６）
前記針保定具は、少なくとも１つの機械仕切を含み、前記仕切は、先導構造と、追従構造と、枢動構造とを備え、前記枢動構造は、前記先導構造を追従構造に結合し、前記仕切は、針が前記針スロットの中に移動することを可能にするが、前記針スロットからの針の移動に抵抗するように構成される、項目７２３および７３５のいずれか１項に記載のキットまたは針受器。
（項目７３７）
前記少なくとも１つの仕切は、前記針スロット内の順序付けられたアレイ内で１本の針を別の針から分離する、項目７３５に記載のキットまたは針受器。
（項目７３８）
前記先導構造および追従構造は、相互に直角で前記枢動構造から延在する、項目７３５に記載のキットまたは針受器。
（項目７３９）
前記先導構造および追従構造は、相互に鈍角で前記枢動構造から延在する、項目７３５に記載のキットまたは針受器。
（項目７４０）
初期構成では、追従構造は、前記針受器の下構造に対して静置し、前記先導構造は、前記枢動構造から前記針スロットの中に延在し、前記枢動構造は、前記針受器の下構造に結合される、項目７３５に記載のキットまたは針受器。
（項目７４１）
前記枢動構造は、追従構造を前記針受器の下構造に対して保持する、ばねを含む、項目７４０に記載のキットまたは針受器。
（項目７４２）
前記ばねは、螺旋ばねである、項目７４１に記載のキットまたは針受器。
（項目７４３）
保定構成では、追従構造は、前記枢動構造から前記針スロットの中に延在し、前記針スロット内の針と前記針受器の進入ゾーンとの間に障壁を形成する、項目７３５に記載のキットまたは針受器。
（項目７４４）
前記針保定具は、前記針を前記針スロット内に平面アレイにおいて保定する、項目７２３−７４３のいずれか１項に記載のキットまたは針受器。
（項目７４５）
前記針保定具は、前記針スロット内で相互に覆わないように、前記針を保定する、項目７２３−７４３のいずれか１項に記載のキットまたは針受器。
（項目７４６）
前記針保定具は、前記針を前記針スロット内にアレイにおいて保定する、項目７２３−７４３のいずれか１項に記載のキットまたは針受器。
（項目７４７）
前記針保定具は、前記針を前記針スロット内に積み重ねられていない構成で保定する、項目７２３−７４３のいずれか１項に記載のキットまたは針受器。
（項目７４８）
前記針保定具は、前記針がそれぞれ、前記針の相互に対して分離されるように、前記針を前記スロット内に保定する、項目７２３−７４３のいずれか１項に記載のキットまたは針受器。
（項目７４９）
前記保定特徴は、磁気的である、項目７２３−７４８のいずれか１項に記載のキットまたは針受器。
（項目７５０）
前記１つまたはそれを上回るクリップが、前記針スロットの長さに沿って延在し、前記針スロットの側方開口部に面し、前記１つまたはそれを上回るクリップは、前記針が前記側方開口部から前記閉鎖端に向かって平行移動されるにつれて、前記針スロットの中に留置された針が、前記１つまたはそれを上回るクリップの中に指向され、前記クリップの上部分と下部分との間にしっかりと保持されるように、前記側方開口部において前記針受器に結合される、項目７２３−７４８のいずれか１項に記載のキットまたは針受器。
（項目７５１）
各クリップは、上部分と、下部分と、前記上部分および下部分を接続するヒンジ部分とを備え、前記クリップは、前記上部分と下部分との間に留置された針に対して圧縮力を印加するように構成される、項目７５０に記載のキットまたは針受器。
（項目７５２）
前記上構造および前記下構造は、前記遷移ゾーンに近接する前記収納ゾーンの第１の端部における第１の距離と、前記遷移ゾーンの遠位の前記収納ゾーンの第２の端部における第２の距離とによって分離され、前記第１の距離は、前記上構造および下構造が前記針スロット内で前記第１の端部と第２の端部との間に配列される複数の針に締付力を付与するように、前記第２の距離未満である、前記項目のいずれか１項に記載の針受器。
（項目７５３）
前記針受器と係合され、前記進入ゾーンに向かって第１の方向に縦方向に平行移動し、前記進入ゾーンから離れた平行移動に抵抗するように構成される、歯止めカバーをさらに備える、前記項目のいずれか１項に記載の針受器。
（項目７５４）
前記歯止めカバーは、前記カバーが前記進入ゾーンに向かって平行移動するにつれて、前記持針器スロットを被覆する、項目７５３に記載の針受器。
（項目７５５）
針容器をさらに備え、前記針容器は、上面を有し、前記針受器の収納ゾーン内に受容されるように成形される、伸長本体と、前記伸長本体の上面から延在する、受容タブとを備える、前記項目のいずれか１項に記載の針受器。
（項目７５６）
前記受容タブは、針と係合されるように構成される、項目７５５に記載の針受器。
（項目７５７）
前記針が、１つまたはそれを上回る受容タブに係合し、前記針スロットの収納ゾーンの中に平行移動すると、前記針は、前記針容器の一部を前記針スロットの中に引動させる、項目７５６に記載の針受器。
（項目７５８）
前記下構造を通して前記進入ゾーンまたは遷移ゾーン内にある、開口をさらに備え、前記針容器は、前記下構造の真下から前記開口を通して前記針スロットの中に通過するように構成される、項目７５５−７５７のいずれか１項に記載の針受器。
（項目７５９）
前記受容タブは、前記針容器の上面に添着される、項目７５５−７５８のいずれか１項に記載の針受器。
（項目７６０）
前記受容タブは、前記針容器を通して細隙を切断し、前記針容器の上面を通した方向に前記細隙によって形成される受容タブを塑性的に変形させることによって形成される、項目７５５−７５８のいずれか１項に記載の針受器。
（項目７６１）
前記受容タブは、前記針容器を通して細隙を切断し、前記針容器の上面を通した方向に前記細隙によって形成される受容タブを偏向させることによって形成される、項目７５５−７５８のいずれか１項に記載の針受器。
（項目７６２）
針容器は、前記針スロットの中に歯止めするように構成される、項目７５５−７６１のいずれか１項に記載の針受器。
（項目７６３）
針容器は、前記持針器スロットの中への前記針容器の移動を可能にし、前記針スロットからの前記針容器の移動に抵抗するように構成される、項目７５５−７６１のいずれか１項に記載の針受器。
（項目７６４）
前記受容タブは、前記針を前記針スロット内に離間アレイにおいて保持するように構成される、項目７５５−７６３のいずれか１項に記載の針受器。
（項目７６５）
前記アレイは、順序付けられたアレイである、項目７６４に記載の針受器。
（項目７６６）
前記アレイは、平面アレイである、項目７６４−７６５のいずれか１項に記載の針受器。
（項目７６７）
前記上面または下面の個別の一方または両方から前記上面または下面の他方に向かって延在し、持針器によって提供される荷重下にあるとき、針の進入を可能にするが、荷重下にないとき、前記針を前記スロット内に保定するように構成される、遮断タブをさらに備える、前記項目のいずれか１項に記載の針受器。
（項目７６８）
前記堅性部分は、剛性部分を備える、前記項目のいずれか１項に記載の針受器、装置、障壁、または方法。
（項目７６９）
前記堅性構造は、剛性構造を備える、前記項目のいずれか１項に記載の針受器、装置、障壁、または方法。
（項目７７０）
前記堅性材料は、剛性材料を含む、前記項目のいずれか１項に記載の針受器、装置、障壁、または方法。
（項目７７１）
前記スロットは、細隙を備える、前記項目のいずれか１項に記載の針受器、装置、障壁、または方法。
方法であって、前記項目のいずれか１項に記載の装置、針受器、または障壁を提供するステップを含む、方法。
（項目７７２）
針受器であって、
下構造と、
前記下構造の上方の上構造であって、前記上構造と前記下構造との間に針スロットを画定し、前記針スロットは、使用済み針を収納するための使用済み針収納ゾーンと、新しい針を収納するための新しい針収納ゾーンとを備え、前記針スロットは、前記針スロットの進入口における前記針受器の第１の端部から前記新しい針収納ゾーンにおける前記針受器の第２の端部まで延在する、上構造と、
を備え、前記上構造は、前記新しい針収納ゾーンから前記使用済み針収納ゾーンまで前記上構造を通して延在する、持針器スロットを画定するように配列される第１の縁および第２の縁を備える、針受器。
（項目７７３）
針受器であって、前記針受器は、
上構造と、
下構造であって、前記上構造および前記下構造は、その個別の周縁において相互に結合される、下構造と、
前記上構造を通して形成され、第１の端部における前記上構造の周縁から第２の端部における前記上構造の周縁まで延在する、スロットと、を備える、針受器。
（項目７７４）
前記上構造の第１の端部は、前記使用済み針収納ゾーンの進入口にあり、前記上構造の第２の端部は、前記新しい針収納ゾーンの退出口にある、項目７７３に記載の針受器。
（項目７７５）
新しい針は、前記新しい針収納ゾーン内に収納され、前記新しい針収納ゾーンの退出口を通して分配される、項目７７２−７７４のいずれか１項に記載の針受器。
（項目７７６）
使用済み針は、前記使用済み針収納ゾーン内に収納され、前記新しい針収納ゾーンの進入口を通して受容される、項目７７２−７７５のいずれか１項に記載の針受器。
（項目７７７）
前記新しい針収納ゾーンと前記使用済み針収納ゾーンとの間の停止部をさらに備える、項目７７２−７７６に記載の針受器。
（項目７７８）
前記停止部は、前記新しい針収納ゾーンと前記使用済み針収納ゾーンとの間の針の平行移動に抵抗するように構成される、項目７７７に記載の針受器。
（項目７７９）
前記停止部は、前記下構造から前記持針器スロットの中に延在する、項目７７７のいずれか１項に記載の針受器。
（項目７８０）
前記進入ゾーンの下構造は、持針器の先端を受容するように構成される降着ゾーンである、前記項目のいずれか１項に記載の針受器。
（項目７８１）
滅菌キットであって、前記滅菌キットは、
滅菌障壁を備える、滅菌パッケージと、
縫合パックと、
前記項目のいずれか１項に記載の針受器と、
障壁搭載基部と、
を備え、
前記縫合パックおよび針受器は、前記障壁搭載基部に結合される、滅菌キット。
（項目７８２）
シート構造をさらに備え、
前記障壁搭載基部は、前記シート構造に結合される、項目７８１に記載の滅菌キット。
（項目７８３）
滅菌キットであって、前記滅菌キットは、
滅菌障壁を備える、滅菌パッケージと、
縫合パックと、
前記項目のいずれか１項に記載の針受器と、
障壁搭載基部と、
シート構造と、
を備え、
前記縫合パック、針受器、および前記障壁搭載基部は、前記シート構造に結合される、滅菌キット。
（項目７８４）
前記障壁搭載基部または前記シート構造は、リビングヒンジを含む、前記項目のいずれか１項に記載の滅菌キット。
（項目７８５）
汚染された手術用針をその中に保持するための前記針スロット内の針保定特徴をさらに備える、前記項目のいずれか１項に記載の装置または針受器。
（項目７８６）
前記針保定特徴は、前記針スロット内の上面と下面との間に配置された発泡体を備える、項目７８５に記載の装置。
（項目７８７）
前記発泡体は、ウレタンフォームを含む、項目７８５に記載の装置。
（項目７８８）
前記針保定特徴は、前記針スロット内の上面と下面との間に配置された面ファスナを備える、項目７８５に記載の装置。
（項目７８９）
前記針保定特徴は、前記針スロット内の上面および下面の一方または両方から延在する複数の突出部を備える、項目７８５に記載の装置。
（項目７９０）
前記複数の突出部は、くぼみを備える、項目７８９に記載の装置。
（項目７９１）
前記複数の突出部は、突起を備える、項目７８９に記載の装置。
（項目７９２）
前記複数の突出部は、フィラメントを備える、項目７８９に記載の装置。
（項目７９３）
前記複数の突出部は、前記針が前記収納ゾーンの中に入ることを可能にするように、および前記少なくとも１つの開口部に向かった前記針の移動に抵抗するように、前記少なくとも１つの開口部から離れて角度を付けられる、項目７８９に記載の装置。
（項目７９４）
前記針保定特徴は、前記針スロット内の上面と下面との間に配置されたフラップを備える、項目７８９に記載の装置。
（項目７９５）
前記針保定特徴は、前記針スロット内の上面と下面との間に配置されたゲルを備える、項目７８９に記載の装置。
（項目７９６）
前記針保定特徴は、前記針スロット内の上面と下面との間に配置された半球小隆起を備える、項目７８５に記載の装置。
（項目７９７）
前記針保定特徴は、前記針スロット内の上面と下面との間に配置された角度付けられた剛毛を備える、項目７８５に記載の装置。
（項目７９８）
前記障壁は、鉄系金属または針受器に磁気的に結合するための磁石を含む、前記項目のいずれか１項に記載の障壁。
（項目７９９）
前記針受器は、鉄系金属または障壁に磁気的に結合するための磁石を含む、前記項目のいずれか１項に記載の針受器。
（項目８００）
前記支持体は、患者を被覆するドレープに搭載される、項目１７８に記載の方法。
（項目８０１）
前記支持体は、前記近傍手術野内に搭載される、項目８００に記載の方法。
（項目８０２）
前記支持体は、前記近傍手術野内の台に搭載される、項目１７８に記載の方法。
（項目８０３）
前記支持体は、前記近傍手術野内のスタンドに搭載される、項目１７８に記載の方法。
（項目８０４）
前記支持体は、切開部と対向する前記外科医からの場所に搭載される、項目８００−８０３のいずれか１項に記載の方法。
（項目８０５）
前記支持体は、前記患者の切開部の近位に搭載される、項目８００−８０３のいずれか１項に記載の方法。
（項目８０６）
前記支持体は、前記患者の切開部の遠位に搭載される、項目８００−８０３のいずれか１項に記載の方法。
（項目８０７）
前記支持体は、前記患者の切開部の上方に搭載される、項目８００−８０３のいずれか１項に記載の方法。
（項目８０８）
前記支持体は、前記患者の切開部の下方に搭載される、項目８００−８０３のいずれか１項に記載の方法。
（項目８０９）
前記障壁搭載基部は、直接または間接的にのいずれかにおいて針受器および縫合パックのうちの１つまたはそれを上回るものを結合するための平坦表面を含む、前記項目のいずれか１項に記載の障壁搭載基部。
（項目８１０）
前記障壁搭載基部は、その中に障壁を受容するように成形される凹状表面を含む、前記項目のいずれか１項に記載の障壁搭載基部。
（項目８１１）
前記凹状表面は、前記平坦表面と対向する、前記項目のいずれか１項に記載の障壁搭載基部。
（項目８１２）
前記障壁搭載基部の表面から延在し、ねじり補剛材を伴わない前記障壁搭載部ブレースと比較して、前記障壁搭載基部のねじり剛性を増加させるように構成される、ねじり補剛材をさらに備える、前記項目のいずれか１項に記載の障壁搭載基部。
（項目８１３）
前記障壁搭載基部の個別の第１および第２の側面に沿って、障壁と結合するように構成される、第１および第２の延在部をさらに備える、前記項目のいずれか１項に記載の障壁搭載基部。
（項目８１４）
前記障壁搭載基部の下面は、第１の場所において前記障壁の湾曲表面に接触し、前記第１および第２の延在部は、個別の第２および第３の場所において前記障壁の湾曲表面に接触する、項目８１３に記載の障壁搭載基部。
（項目８１５）
前記支持体は、前記支持体の基部を前記支持体の搭載表面から分離する第１のヒンジを含む、シート構造を備える、前記項目のいずれか１項に記載の支持体。
（項目８１６）
前記基部は、前記支持体を手術用ドレープに結合するように構成され、前記搭載表面は、針受器に結合するように構成される、項目８１５に記載の支持体。
（項目８１７）
前記基部は、前記支持体を手術用ドレープに結合するように構成され、前記搭載表面は、針受器に結合するように構成される、項目８１５に記載の支持体。
（項目８１８）
前記搭載表面は、前記基部と３０度〜９０度の角度にある、項目８１７に記載の支持体。
（項目８１９）
前記搭載表面は、前記基部と６０度〜７５度の角度にある、項目８１７に記載の支持体。
（項目８２０）
前記搭載表面は、前記基部と４５度〜７５度の角度にある、項目８１７に記載の支持体。
（項目８２１）
前記搭載表面は、前記基部と４５度〜９０度の角度にある、項目８１７に記載の支持体。
（項目８２２）
前記支持体は、前記支持体の基部を前記支持体の搭載表面から分離する第１のヒンジを含む、シート構造を備える、前記項目のいずれか１項に記載の支持体。
（項目８２３）
前記支持体は、前記支持体の搭載表面を、前記ヒンジから延在し、前記基部と係合する、調節構造から分離する第２のヒンジを含む、シート構造を備える、前記項目のいずれか１項に記載の支持体。
（項目８２４）
前記支持体は、前記基部の表面から延在し、前記搭載表面の角度を調節するための調節構造によって係合可能である、複数の停止部を備える、前記項目のいずれか１項に記載の支持体。
（項目８２５）
前記調節構造と第４の区分との間の第３のヒンジをさらに備え、前記第４の区分は、前記基部に結合可能である、前記項目のいずれか１項に記載の支持体。
（項目８２６）
前記ヒンジは、リビングヒンジである、前記項目のいずれか１項に記載の支持体。
（項目８２７）
前記スピンドルの上部および底部は、結合部を含み、上結合部は、第１の形状を有し、前記底結合部は、前記上結合部を受容するように成形される、項目１０７−１０９のいずれか１項に記載の装置。
（項目８２８）
前記スピンドルの上部および底部は、結合部を含み、上結合部は、第１の形状を有し、前記底結合部は、前記上結合部の第１の形状と係合するように成形される、項目１０７−１０９のいずれか１項に記載の装置。
（項目８２９）
前記スピンドルの上部は、延在部を含み、前記スピンドルの上部は、前記延在部を受容するように成形される陥凹を含む、項目１０７−１０９のいずれか１項に記載の装置。
（項目８３０）
針受器であって、
収納ゾーンを有する、下構造と、
進入ゾーンおよび収納ゾーンを有する、上構造と、
前記下構造と前記上構造との間に１本またはそれを上回る縫合針を受容するための針スロットと、
下進入ゾーンを形成する、ランプ構造と、
前記上構造の一部を通して延在する上持針器スロットならびに前記下構造および前記ランプ構造の一部を通して延在する下持針器スロットと、を備える、針受器。
（項目８３１）
前記ランプ構造は、前記針スロットおよび前記上構造から離れて角度付けられた表面を含む、項目８３０に記載の針受器。
（項目８３２）
前記上構造の進入ゾーンは、前記針スロットおよび前記ランプ構造から離れて角度付けられる、項目８３０−８３１のいずれか１項に記載の針受器。
（項目８３３）
前記針スロット内に応従性構造をさらに備える、項目８３０−８３２のいずれか１項に記載の針受器。
（項目８３４）
前記応従性構造は、保持力を前記針スロットおよび前記収納ゾーン内の針に対して印加し、前記針スロットおよび前記収納ゾーンからの前記針の平行移動に抵抗する、項目８３３に記載の針受器。
（項目８３５）
前記上構造は、保持力を前記針スロットおよび前記収納ゾーン内の針に対して印加し、前記針スロットおよび前記収納ゾーンからの前記針の平行移動に抵抗する、項目８３４に記載の針受器。
（項目８３６）
針受器であって、
壁に結合される第１の端部を有する、第１および第２の伸長部材であって、前記第１および第２の部材は、相互に平行であり、前記壁から延在し、前記第１の伸長部材は、前記第２の伸長部材に面する第１の表面を有し、前記第２の伸長部材は、前記第１の伸長部材に面する第２の表面を有する、第１および第２の伸長部材と、
前記第１の伸長部材の第１の表面内に形成され、前記第１の伸長部材の長さに沿って延在する、第１の針保定スロットと、
前記第２の伸長部材の第２の表面内に形成され、前記第２の伸長部材の長さに沿って延在する、第２の針保定スロットと、
を備え、
前記第１および第２の針保定スロットはともに、使用済み縫合針をその中に収納するための収納針ゾーンを形成する、針受器。
（項目８３７）
前記第１および第２の伸長部材は、圧縮力を前記使用済み縫合針に印加する、項目８３６に記載の針受器。
（項目８３８）
持針器スロットが、前記第１および第２の伸長部材間に形成される、項目８３６−８３７のいずれか１項に記載の針受器。
（項目８３９）
針受器であって、
ヒンジ部分によってともに結合される上部分および下部分を有する、筐体であって、前記上部分、下部分、およびヒンジ部分は、Ｕ形状を形成する、筐体と、
複数の針を格納するために前記上部分と前記下部分との間に形成される空洞と、
を備える、針受器。
（項目８４０）
前記ヒンジ部分は、前記針が前記上部分および下部分によって付与される圧縮力によって前記針スロット内に収納され得るように、前記筐体の上部分および下部分を相互に向かって付勢するようにばね荷重される、前記項目のいずれか１項に記載の針受器。
（項目８４１）
前記上部分および前記下部分はそれぞれ、第１のアームと、第２のアームとを備え、持針器スロットをそれらの間に形成する、前記項目のいずれか１項に記載の針受器。
（項目８４２）
前記下部分はさらに、ヒンジから離れて延在する延在部を備える、前記項目のいずれか１項に記載の針受器。
（項目８４３）
前記延在部は、針が前記筐体内に収納されるための降着ゾーンを形成し、前記針は、前記持針器先端が前記持針器スロットと整合された状態で、前記延在部の上面と接触されてもよい、前記項目のいずれか１項に記載の針受器。
（項目８４４）
前記下部分内の持針器スロットは、前記延在部の中に延在する、前記項目のいずれか１項に記載の針受器。
（項目８４５）
前記下部分内の持針器スロットは、前記延在部を通して延在する、前記項目のいずれか１項に記載の針受器。
（項目８４６）
前記持針器スロットは、前記ヒンジに近接する前記第１または第２の部分の端部において閉鎖され、前記ヒンジから離れた前記第１または第２の部分の端部において開放される、前記項目のいずれか１項に記載の針受器。
（項目８４７）
前記上部分または下部分の個別の一方または両方から前記上部分または下部分の他方に向かって延在し、持針器によって提供される荷重下にあるとき、針の進入を可能にするが、荷重下にないとき、前記針を前記スロット内に保定するように構成される、遮断タブをさらに備える、前記項目のいずれか１項に記載の針受器。
（項目８４８）
筐体の外側側方縁にわたって配置される側方壁をさらに備える、前記項目のいずれか１項に記載の針受器。
（項目８４９）
前記側方壁は、前記筐体と統合される、前記項目のいずれか１項に記載の針受器。
（項目８５０）
前記側方壁は、筐体の外側側方縁に除去可能に結合される、前記項目のいずれか１項に記載の針受器。
（項目８５１）
針受器であって、前記針受器は、
その上面内に形成されるチャネルを有する、下構造と、
堅性材料および可撓性材料から形成される、上構造と、
使用済み縫合針をその中に収納するために前記上構造と前記下構造との間に形成される、針スロットと、
前記堅性材料と前記可撓性材料との間の上構造によって、かつ前記下構造のチャネルの上方に形成される、持針器スロットと、
を備える、針受器。
（項目８５２）
前記上構造の堅性材料と前記下構造との間の前記針スロット内に応従性材料をさらに備える、項目８５１に記載の針受器。
（項目８５３）
前記応従性材料は、発泡体である、項目８５２に記載の針受器。
（項目８５４）
前記上構造内に形成される持針器スロットは、前記下構造の上面内に形成される前記チャネルと平行である、項目８５１−８５１のいずれか１項に記載の針受器。
（項目８５５）
前記持針器スロットは、第１の縁と、前記第１の縁と対向する第２の縁とを含む、項目８５１−８５４のいずれか１項に記載の針受器。
（項目８５６）
前記可撓性材料は、前記持針器スロットの第１の縁を含み、前記堅性材料は、前記持針器スロットの第２の縁を含む、項目８５１−８５５のいずれか１項に記載の針受器。
（項目８５７）
前記第１の縁は、前記第２の縁から分離し、前記持針器を受容する、項目８５１−８５６のいずれか１項に記載の針受器。
（項目８５８）
前記第１の縁および前記第２の縁は、それらの間に延在する持針器を伴わずに、非変形独立状態で、相互に接触する、項目８５１−８５７のいずれか１項に記載の針受器。
（項目８５９）
前記第１の縁および前記第２の縁は、非変形状態で、相互から離間され、間隙が、前記第１の縁と前記第２の縁との間に画定される、項目８５１−８５８のいずれか１項に記載の針受器。
（項目８６０）
前記下構造の一部は、前記上構造の端部を越えて延在し、降着ゾーンを形成し、前記針は、前記持針器先端が前記持針器スロットと整合された状態で、前記延在部の上面と接触させられてもよい、項目８５１−８５９のいずれか１項に記載の針受器。
（項目８６１）
前記チャネルは、前記降着ゾーンの中に延在する、項目８５１−８５８のいずれか１項に記載の針受器。
（項目８６２）
針受器を受容するステップは、外科医から、５本またはそれを上回る、照合され、分配された手術用針を受容するステップを含み、前記分配された手術用針は、前記針受器内で安定させられて非侵害性である、前記項目のいずれか１項に記載の方法。
（項目８６３）
針受器を受容するステップは、前記針が近傍手術野内にあるとき、前記手術用針を照合した人物から、５本またはそれを上回る、照合され、分配された手術用針を受容するステップを含み、前記照合され、分配された手術用針は、受容されると、前記針受器内で安定させられて非侵害性であり、随意に、前記針は、照合されると、前記針受器内にあり、随意に、前記針は、前記針受器内にあり、前記近傍手術野内の針パックの手術用針と照合される、前記項目のいずれか１項に記載の方法。